(57)【要約】  実施形態の太陽光パネル支持ユニットは、第１支持部材と、第２支持部材と、第３支持部材とを持つ。前記第１支持部材は、第１支持部と、第１取付部とを含む。前記第１取付部は、前記第１支持部から第１距離離れた位置に配置される。前記第２支持部材は、第２支持部と、第２取付部とを含む。前記第２取付部は、前記第２支持部から前記第１距離よりも短い第２距離離れた位置に配置されるとともに、前記第１穴に連通する第２穴を有して前記第１取付部に重ねられる。前記第３支持部材は、第３支持部と、第３取付部とを含む。前記第３取付部は、前記第１穴および前記第２穴に連通する第３穴を有して前記第２取付部に重ねられる。
2017110411.tif 000002
【特許請求の範囲】
【請求項１】
第１太陽光パネルを支持可能な第１支持部と、前記第１太陽光パネルのパネル厚さ方向において前記第１支持部から第１距離離れた位置に配置されるとともに第１穴を有した第１取付部と、を含む第１支持部材と、
第２太陽光パネルを支持可能な第２支持部と、前記パネル厚さ方向において前記第２支持部から前記第１距離よりも短い第２距離離れた位置に配置されるとともに、前記第１穴に連通する第２穴を有して前記第１取付部に重ねられる第２取付部と、を含む第２支持部材と、
第３太陽光パネルを支持可能な第３支持部と、前記第１穴および前記第２穴に連通する第３穴を有して前記第２取付部に重ねられる第３取付部と、を含む第３支持部材と、
を備えた太陽光パネル支持ユニット。
【請求項２】
前記第３取付部は、前記パネル厚さ方向において前記第３支持部から前記第２距離よりも短い第３距離離れた位置に配置された、
請求項１に記載の太陽光パネル支持ユニット。
【請求項３】
第４太陽光パネルを支持可能な第４支持部と、前記パネル厚さ方向において前記第４支持部から前記第３距離よりも短い第４距離離れた位置に配置されるとともに、前記第１穴、前記第２穴、および前記第３穴に連通する第４穴を有して前記第３取付部に重ねられる第４取付部と、を含む第４支持部材をさらに備えた、
請求項２に記載の太陽光パネル支持ユニット。
【請求項４】
前記第１取付部は、第１識別部を有し、
前記第２取付部は、前記第１識別部とは見た目が異なる第２識別部を有し、
前記第３取付部は、前記第１識別部および前記第２識別部とは見た目が異なる第３識別部を有した、
請求項１に記載の太陽光パネル支持ユニット。
【請求項５】
前記第１取付部の代わりに前記第２取付部に重ねられるスペーサをさらに備え、
前記スペーサは、前記第１識別部と略同じ識別部を有した、
請求項４に記載の太陽光パネル支持ユニット。
【請求項６】
前記第３取付部は、前記パネル厚さ方向において前記第３支持部から前記第１距離離れた位置に配置され、前記第１太陽光パネルの受光面と前記第３太陽光パネルの受光面とが互いに異なる高さに位置する状態で、前記第２取付部に重ねられる、
請求項１に記載の太陽光パネル支持ユニット。
【請求項７】
前記第１支持部、前記第２支持部、および前記第３支持部は、それぞれ前記第１太陽光パネル、前記第２太陽光パネル、および前記第３太陽光パネルを水平方向に対して傾斜した姿勢で支持可能である、
請求項１に記載の太陽光パネル支持ユニット。
【請求項８】
前記第１取付部の上面および下面の一方は、傾斜部を有し、
前記第３取付部の上面および下面の他方は、前記第１取付部の傾斜部と略同じ方向に傾斜した傾斜部を有して前記第１取付部に重ねられる、
請求項１に記載の太陽光パネル支持ユニット。
【請求項９】
第１太陽光パネルを支持可能な第１支持部と、前記第１太陽光パネルのパネル厚さ方向において前記第１支持部から第１距離離れた位置に配置されるとともに第１穴を有した第１取付部と、を含む第１支持部材と、
第２太陽光パネルを支持可能な第２支持部と、前記パネル厚さ方向において前記第２支持部から前記第１距離よりも短い第２距離離れた位置に配置されるとともに、前記第１穴に連通する第２穴を有して前記第１取付部に重ねられる第２取付部と、を含む第２支持部材と、
を備え、
前記第２支持部材は、前記パネル厚さ方向に沿う溝を有し、
前記第２取付部は、前記第２支持部とは別体として形成されるとともに、少なくとも一部が前記溝に挿入されて、前記溝に沿ってスライド移動可能である、
太陽光パネル支持ユニット。
【請求項１０】
前記溝は、前記パネル厚さ方向において前記第２支持部材の外部に開口している、
請求項９に記載の太陽光パネル支持ユニット。
【請求項１１】
前記第２取付部は、該第２取付部が前記第１取付部に接した状態で、前記第１支持部と前記第２支持部との間に位置して前記第１支持部材と前記第２支持部材との間の隙間の少なくとも一部を埋めている隙間埋め部を含む、
請求項９に記載の太陽光パネル支持ユニット。
【請求項１２】
前記隙間埋め部は、前記第１太陽光パネルの受光面よりも上方に突出している、
請求項１１に記載の太陽光パネル支持ユニット。
【請求項１３】
第１太陽光パネルを支持可能な第１支持部と、前記第１太陽光パネルのパネル厚さ方向に沿う溝と、を有した第１支持部材と、
第２太陽光パネルを支持可能な第２支持部と、少なくとも一部が前記溝に挿入されて前記パネル厚さ方向で前記第１支持部材に面する押さえ部と、を有した第２支持部材と、
を備えた太陽光パネル支持ユニット。
【請求項１４】
前記押さえ部の上面は、該押さえ部が前記第１支持部材に接した状態で、前記第１支持部の上面と略同じ高さに位置する、
請求項１３に記載の太陽光パネル支持ユニット。
【請求項１５】
前記押さえ部は、前記第１太陽光パネルの受光面よりも上方に突出している、
請求項１３に記載の太陽光パネル支持ユニット。
【請求項１６】
第１太陽光パネルと、
第２太陽光パネルと、
第３太陽光パネルと、
前記第１太陽光パネルを支持した第１支持部と、前記第１太陽光パネルのパネル厚さ方向において前記第１支持部から第１距離離れた位置に配置されるとともに第１穴を有した第１取付部と、を含む第１支持部材と、
前記第２太陽光パネルを支持した第２支持部と、前記パネル厚さ方向において前記第２支持部から前記第１距離よりも短い第２距離離れた位置に配置されるとともに、前記第１穴に連通する第２穴を有して前記第１取付部に重ねられた第２取付部と、を含む第２支持部材と、
前記第３太陽光パネルを支持可能な第３支持部と、前記第１穴および前記第２穴に連通する第３穴を有して前記第２取付部に重ねられる第３取付部と、を含む第３支持部材と、
を備えた太陽光発電システム。
【請求項１７】
第１太陽光パネルを支持可能な第１支持部と、前記第１太陽光パネルのパネル厚さ方向において前記第１支持部から第１距離離れた位置に配置されるとともに第１穴を有した第１取付部と、を含む第１支持部材と、
第２太陽光パネルを支持可能な第２支持部と、前記パネル厚さ方向において前記第２支持部から前記第１距離よりも短い第２距離離れた位置に配置されるとともに、前記第１穴に連通する第２穴を有して前記第１取付部に重ねられる第２取付部と、を含む第２支持部材と、
を備え、
前記第１支持部材は、第１識別部を有し、
前記第２支持部材は、前記第１識別部とは見た目が異なる第２識別部を有した、
太陽光パネル支持ユニット。
【発明の詳細な説明】
【技術分野】
【０００１】
本発明の実施形態は、太陽光パネル支持ユニットおよび太陽光発電システムに関する。
【背景技術】
【０００２】
太陽光発電システムの太陽電池モジュールは、太陽光パネルと、該太陽光パネルの周縁部に設けられたフレームとを有する。ここで、上記のような太陽電池モジュールは、それぞれ個別に架台に固定される。このため、太陽電池モジュールを固定する固定部品の部品点数が多くなる場合があった。
【先行技術文献】
【特許文献】
【０００３】
【特許文献１】日本国特開２００７−１９２００１号公報
【発明の概要】
【発明が解決しようとする課題】
【０００４】
本発明が解決しようとする課題は、固定部品の部品点数の削減を図ることができる太陽光パネル支持ユニットおよび太陽光発電システムを提供することである。
【課題を解決するための手段】
【０００５】
実施形態の太陽光パネル支持ユニットは、第１支持部材と、第２支持部材と、第３支持部材とを持つ。前記第１支持部材は、第１支持部と、第１取付部とを含む。前記第１支持部は、第１太陽光パネルを支持可能である。前記第１取付部は、前記第１太陽光パネルのパネル厚さ方向において前記第１支持部から第１距離離れた位置に配置されるとともに、第１穴を有する。前記第２支持部材は、第２支持部と、第２取付部とを含む。前記第２支持部は、第２太陽光パネルを支持可能である。前記第２取付部は、前記パネル厚さ方向において前記第２支持部から前記第１距離よりも短い第２距離離れた位置に配置されるとともに、前記第１穴に連通する第２穴を有して前記第１取付部に重ねられる。前記第３支持部材は、第３支持部と、第３取付部とを含む。前記第３支持部は、第３太陽光パネルを支持可能である。前記第３取付部は、前記第１穴および前記第２穴に連通する第３穴を有して前記第２取付部に重ねられる。
【図面の簡単な説明】
【０００６】
【図１】第１の実施形態の太陽光発電システムの構成例を示す斜視図。
【図２】第１の実施形態の太陽電池モジュールを示す斜視図。
【図３】図２中に示された太陽電池モジュールのＦ３−Ｆ３線に沿う断面図。
【図４】第１の実施形態の太陽電池モジュールの架台への取付構造を示す断面図。
【図５】第１の実施形態の太陽電池モジュールの第１変形例を示す断面図。
【図６】第１の実施形態の太陽電池モジュールの第２変形例を示す断面図。
【図７】第１の実施形態の太陽電池モジュールの第３変形例を示す斜視図。
【図８】第２の実施形態の太陽電池モジュールを示す断面図。
【図９】第３の実施形態の太陽電池モジュールを示す図。
【図１０】第３の実施形態の太陽電池モジュールの配置を示す平面図。
【図１１】図１０中に示された太陽電池モジュールのＦ１１−Ｆ１１線に沿う断面図。
【図１２】第４の実施形態の太陽電池モジュールを示す平面図。
【図１３】第４の実施形態のスペーサを示す平面図。
【図１４】第５の実施形態の太陽電池モジュールを示す図。
【図１５】第５の実施形態の太陽電池モジュールの配置を示す図。
【図１６】第５の実施形態の変形例の太陽電池モジュールを示す図。
【図１７】第６の実施形態の太陽電池モジュールを示す図。
【図１８】第６の実施形態の太陽電池モジュールの配置を示す図。
【図１９】第７の実施形態の太陽電池モジュールを示す斜視図。
【図２０】第７の実施形態の第１および第３の太陽電池モジュールの配置を示す斜視図。
【図２１】第７の実施形態の第２および第４の太陽電池モジュールの配置を示す斜視図。
【図２２】第８の実施形態の太陽電池モジュールを示す斜視図。
【図２３】図２２中に示された太陽電池モジュールのＦ２３−Ｆ２３線に沿う断面図。
【図２４】第８の実施形態の太陽電池モジュールの変形例を示す断面図。
【図２５】第９の実施形態の太陽電池モジュールを示す斜視図。
【図２６】第９の実施形態の太陽電池モジュールの変形例を示す斜視図。
【図２７】第１０の実施形態の太陽電池モジュールを示す斜視図。
【図２８】第１１の実施形態の太陽電池モジュールを示す斜視図。
【発明を実施するための形態】
【０００７】
以下、実施形態の太陽光パネル支持ユニットおよび太陽光発電システムを、図面を参照して説明する。なお以下の説明では、略同じまたは類似の機能を有する構成に同一の符号を付す。そして、それらの重複する説明は省略する場合がある。なお、本願でいう「重ねられる」とは、複数の部材の少なくとも一部同士が重ねられる場合なども含む。また「重ねられる」とは、上から重ねられる場合に限らず、下から重ねられる場合も含む。
【０００８】
（第１の実施形態）
まず、図１から図４を参照して、第１の実施形態の太陽光発電システム１および太陽光パネル支持ユニット２について説明する。
図１は、第１の実施形態の太陽光発電システム１の構成例を示す。
図１に示すように、太陽光発電システム１は、複数の太陽電池モジュール５と、架台６とを有する。複数の太陽電池モジュール５は、互いに隣接して配置されるとともに、架台６に取り付けられる。
【０００９】
ここでは、説明の便宜上、架台６について先に説明する。
架台６の一例は、第１水平材１１、第２水平材１２、主材１３、および支持材１４を含む。第１水平材１１および第２水平材１２は、敷地に設置される例えばコンクリート製の複数の基礎ＢＳの上に取り付けられている。主材１３は、水平方向に対して傾いた姿勢で第１水平材１１に固定されている。太陽電池モジュール５は、主材１３に取り付けられて、主材１３によって支持される。支持材１４は、第２水平材１２と主材１３との間に設けられている。支持材１４は、主材１３を斜め下方から支持する。
【００１０】
なお、本実施形態の太陽電池モジュール５が取り付けられる架台６は、上記例に限定されない。本願で言う「架台」とは、設置面に設置されて太陽電池モジュールが取り付けられる部材を広く意味する。例えば、架台６は、家屋の屋根に設置される架台でもよい。この場合、架台６は、家屋の屋根に直接に固定される主材１３のみで構成されてもよい。
【００１１】
次に、太陽電池モジュール５について説明する。なお、本実施形態では、複数の太陽電池モジュール５は、互いに略同じ構成を有する。
図２は、太陽電池モジュール５を示す斜視図である。
図２に示すように、太陽電池モジュール５は、太陽光パネル１６と、太陽光パネル１６の周縁部に設けられたフレーム１７とを有する。本願で言う「太陽光パネル」とは、複数の太陽電池セルと、前記複数の太陽電池セルに向けて光を通す光透過性パネルとを含むユニットを意味する。太陽光パネル１６は、例えば矩形の板状に形成されている。一方で、フレーム１７は、太陽光パネル１６の４辺を囲む枠状に形成されている。
【００１２】
まず、太陽光パネル１６について詳しく説明する。
図３は、太陽光パネル１６およびフレーム１７を示す断面図である。
図３に示すように、太陽光パネル１６は、複数の太陽電池セル２１、封止材２２、前面パネル２３、およびバックシート２４を有する。
【００１３】
太陽電池セル２１は、光電効果によって光エネルギーを電気エネルギーに変換する半導体素子の集合体である。複数の太陽電池セル２１は、各太陽光パネル１６において、複数の方向（例えば太陽光パネル１６の長手方向および長手方向とは略直交した方向）に並べられている。複数の太陽電池セル２１は、タブ線２５などによって互いに電気的に接続されている。
封止材（封止樹脂）２２は、複数の太陽電池セル２１およびタブ線２５を一体に封止している。封止材２２は、光透過性を有する。
【００１４】
前面パネル（保護パネル）２３は、「光透過性パネル」の一例である。前面パネル２３の一例は、ガラスパネルである。前面パネル２３は、封止材２２に重ねられ、複数の太陽電池セル２１および封止材２２を一体に覆っている。前面パネル２３は、太陽光パネル１６の前面（受光面）１６ａを形成している。なお、太陽光パネル１６の前面１６ａは、「太陽光パネルの上面」と称されてもよい。前面パネル２３は、光透過性を有し、複数の太陽電池セル２１に向けて光を通す。
バックシート２４は、前面パネル２３とは反対側から封止材２２に重ねられている。バックシート２４は、太陽光パネル１６の背面１６ｂを形成している。
【００１５】
次に、フレーム１７について詳しく説明する。
図２に示すように、フレーム１７は、第１部材（第１部分）３１、第２部材（第２部分）３２、第３部材（第３部分）３３、および第４部材（第４部分）３４を有する。例えば、第１部材３１および第２部材３２は、太陽光パネル１６の一対の長辺に沿って設けられている。例えば、第３部材３３および第４部材３４は、太陽光パネル１６の一対の短辺に沿って設けられている。第１部材３１、第２部材３２、第３部材３３、および第４部材３４は、互いに連結されている。これにより、フレーム１７は、太陽光パネル１６の４辺を囲む枠状に形成されている。なお、第１部材３１、第２部材３２、第３部材３３、および第４部材３４は、互いに一体に形成されていてもよい。フレーム１７は、例えばアルミニウム材のような金属材料で形成されている。
【００１６】
図３に示すように、第１部材３１および第２部材３２の各々は、支持部４１、起立部４２、主取付部４３、および副取付部４４を有する。
【００１７】
支持部４１は、太陽光パネル１６の周縁部（端部）に取り付けられて太陽光パネル１６を支持する。例えば、支持部４１は、第１部分５１、第２部分５２、および第３部分５３を有する。第１部分５１は、太陽光パネル１６の前面１６ａに接する。例えば、第１部分５１は、太陽光パネル１６に含まれる前面パネル２３に接して、前面パネル２３を支持する。第２部分５２は、太陽光パネル１６の背面１６ｂに接する。例えば、第２部分５２は、太陽光パネル１６に含まれるバックシート２４に接して、バックシート２４を支持する。第３部分５３は、太陽光パネル１６の側面１６ｃに沿って延びており、第１部分５１と第２部分５２とを接続している。
支持部４１は、第１部分５１と第２部分５２との間に太陽光パネル１６を挟持する。太陽光パネル１６の封止材２２、前面パネル２３、およびバックシート２４は、支持部４１によって挟持されることで互いに一体になっている。なお、第３部材３３および第４部材３４も、上記と略同じ支持部４１を有する。
【００１８】
起立部４２は、支持部４１と、取付部４３，４４との間に設けられて、支持部４１と取付部４３，４４との間を接続している。起立部４２は、太陽光パネル１６の厚さ方向Ｔ（以下、パネル厚さ方向Ｔと言う。）と略平行な板状に形成されている。
【００１９】
主取付部４３および副取付部４４は、ボルトのような締結部材６６（図２参照）によって架台６に固定される部分である。なお、「主取付部」および「副取付部」の名称は、２つの取付部４３，４４を区別するために便宜上付けられている。このため、「主」および「副」の用語に特別な意味はなく、２つの取付部４３，４４のうちどちらが主取付部であり、どちらが副取付部でもよい。
【００２０】
主取付部４３は、起立部４２の下端部に設けられている。主取付部４３は、太陽電池モジュール５から離れる方向に向けて、起立部４２から突出している。主取付部４３は、例えば、太陽光パネル１６の前面１６ａと略平行な板状のリブである。主取付部４３は、パネル厚さ方向Ｔに開口した穴６１（例えば貫通穴）を有する。
【００２１】
ここで図３に示すように、本実施形態では、第１部材３１の主取付部４３と、第２部材３２の主取付部４３とは、互いに異なる高さに設けられている。詳しく述べると、第１部材３１の主取付部４３は、パネル厚さ方向Ｔにおいて第１部材３１の支持部４１から第１距離Ｌ１離れた位置に配置されている。一方で、第２部材３２の主取付部４３は、パネル厚さ方向Ｔにおいて第２部材３２の支持部４１から第１距離Ｌ１よりも短い第２距離Ｌ２離れた位置に配置されている。すなわち、第１部材３１の主取付部４３と、第２部材３２の主取付部４３とは、互いに段違いに配置されている。例えば、第２距離Ｌ２は、第１部材３１の主取付部４３の厚さと略同じだけ、第１距離Ｌ１よりも短い。
【００２２】
ここで、第１距離Ｌ１の一例は、パネル厚さ方向Ｔにおける第１部材３１の支持部４１の中心と、パネル厚さ方向Ｔにおける第１部材３１の主取付部４３の中心との間のパネル厚さ方向Ｔの距離である。
同様に、第２距離Ｌ２の一例は、パネル厚さ方向Ｔにおける第２部材３２の支持部４１の中心と、パネル厚さ方向Ｔにおける第２部材３２の主取付部４３の中心との間のパネル厚さ方向Ｔの距離である。
【００２３】
なお、第１距離Ｌ１および第２距離Ｌ２の定義は、上記例に限定されない。第１距離Ｌ１および第２距離Ｌ２は、支持部４１に任意に設定される一つの基準線からの距離であればよい。
例えば本実施形態では、第１部材３１および第２部材３２の各々の支持部４１の第２部分５２は、太陽光パネル１６の背面１６ｂに接する支持面４１ｓを有する。第１部材３１および第２部材３２の各々の主取付部４３は、上面４３ａと、該上面４３ａとは反対側に位置した下面４３ｂとを有する。例えば、第１距離Ｌ１の別の一例は、第１部材３１の支持部４１の支持面４１ｓと、第１部材３１の主取付部４３の下面４３ｂとの間のパネル厚さ方向Ｔの距離である。同様に、第２距離Ｌ２の別の一例は、第２部材３２の支持部４１の支持面４１ｓと、第２部材３２の主取付部４３の下面４３ｂとの間のパネル厚さ方向Ｔの距離である。
【００２４】
図３に示すように、副取付部４４は、起立部４２の下端部に設けられている。副取付部４４は、起立部４２から、主取付部４３とは反対方向に突出している。副取付部４４は、例えば、太陽光パネル１６の前面１６ａと略平行な板状のリブである。副取付部４４は、パネル厚さ方向Ｔに開口した穴６２（例えば貫通穴）を有する。本実施形態では、第１部材３１および第２部材３２の各々の副取付部４４は、第１部材３１の主取付部４３と略同じ高さに配置されている。
【００２５】
次に、複数の太陽電池モジュール５の取付構造について説明する。
図４は、架台６に取り付けられた複数の太陽電池モジュール５を示す。
図４に示すように、複数の太陽電池モジュール５は、互いに隣接して配置された第１太陽電池モジュール５Ａと、第２太陽電池モジュール５Ｂとを含む。なお以下の説明では、第１太陽電池モジュール５Ａの各構成要素の符号の末尾に「Ａ」を付す。また、第２太陽電池モジュール５Ｂの各構成要素の符号の末尾に「Ｂ」を付す。これにより、第１太陽電池モジュール５Ａの構成要素と、第２太陽電池モジュール５Ｂの構成要素とを区別している。
【００２６】
図４に示すように、第１太陽電池モジュール５Ａの第１部材３１Ａの主取付部４３Ａは、該第１部材３１Ａの支持部４１Ａから第１距離Ｌ１離れた位置に配置されている。第１太陽電池モジュール５Ａの第１部材３１Ａの主取付部４３Ａは、架台６の上に載せられている。主取付部４３Ａの下面４３ｂは、架台６に接している。
【００２７】
一方で、第２太陽電池モジュール５Ｂの第２部材３２Ｂの主取付部４３Ｂは、該第２部材３２Ｂの支持部４１Ｂから第１距離Ｌ１よりも短い第２距離Ｌ２離れた位置に配置されている。第２太陽電池モジュール５Ｂの第２部材３２Ｂの主取付部４３Ｂは、架台６とは反対側から第１太陽電池モジュール５Ａの第１部材３１Ａの主取付部４３Ａの上に載せられている。これにより、図４に示すように、第１太陽電池モジュール５Ａの太陽光パネル１６Ａの前面１６ａと第２太陽電池モジュール５Ｂの太陽光パネル１６Ｂの前面１６ａとが略同一面上に位置する状態で、第１太陽電池モジュール５Ａの第１部材３１Ａの主取付部４３Ａと、第２太陽電池モジュール５Ｂの第２部材３２Ｂの主取付部４３Ｂとがパネル厚さ方向Ｔに互いに重ねられている。
【００２８】
また、図４に示すように、第２太陽電池モジュール５Ｂの第２部材３２Ｂの主取付部４３Ｂの穴６１Ｂは、第１太陽電池モジュール５Ａの第１部材３１Ａの主取付部４３Ａの穴６１Ａに連通する。また、架台６は、第１太陽電池モジュール５Ａの第１部材３１Ａの穴６１Ａおよび第２太陽電池モジュール５Ｂの第２部材３２Ｂの穴６１Ｂに連通する穴６５（例えば貫通穴）を有する。
【００２９】
太陽光発電システム１は、ボルトのような締結部材６６を有する。締結部材６６は、第１太陽電池モジュール５Ａの第１部材３１Ａの穴６１Ａ、第２太陽電池モジュール５Ｂの第２部材３２Ｂの穴６１Ｂ、および架台６の穴６５に挿入される。本実施形態では、第１太陽電池モジュール５Ａの第１部材３１Ａの穴６１Ａ、第２太陽電池モジュール５Ｂの第２部材３２Ｂの穴６１Ｂ、および架台６の穴６５の各々は、雌ねじを有しない単純穴である。本実施形態では、締結部材６６の先端部に、ナット６７が取り付けられる。これにより、第１太陽電池モジュール５Ａの第１部材３１Ａおよび第２太陽電池モジュール５Ｂの第２部材３２Ｂは、締結部材６６によって架台６に共締めされている。また、締結部材６６には、平座金およびバネ座金などが取り付けられている。
【００３０】
なお上記構成に代えて、架台６の穴６５は、雌ねじが設けられたねじ穴でもよい。この場合、ナット６７が不要である。締結部材６６は、架台６の穴６５に係合することで、第１太陽電池モジュール５Ａの第１部材３１Ａおよび第２太陽電池モジュール５Ｂの第２部材３２Ｂを架台６に共締めしてもよい。
【００３１】
次に、太陽電池モジュール５Ａ，５Ｂの他の部分の取付構造について説明する。
図４に示すように、第２太陽電池モジュール５Ｂの第１部材３１Ｂの主取付部４３Ｂは、該第１部材３１Ｂの支持部４１Ｂから第１距離Ｌ１離れた位置に配置されている。第２太陽電池モジュール５Ｂの第１部材３１Ｂの主取付部４３Ｂは、架台６の上に載せられている。第２太陽電池モジュール５Ｂの第１部材３１Ｂの主取付部４３Ｂには、他の太陽電池モジュール（第３太陽電池モジュール）５の第２部材３２の主取付部４３が架台６とは反対側から重ねられる。
【００３２】
図４に示すように、第１太陽電池モジュール５Ａは、複数の太陽電池モジュール５のなかで端に位置している。第１太陽電池モジュール５Ａの第２部材３２Ａの主取付部４３Ａと架台６との間には、スペーサ７１が挿入されている。第１太陽電池モジュール５Ａの第２部材３２Ａの主取付部４３Ａおよびスペーサ７１は、締結部材６６によって架台６に共締めされている。
【００３３】
なお、架台６の穴６５の位置によっては、主取付部４３が固定される代わりに、締結部材６６によって副取付部４４が架台６に固定されてもよい。副取付部４４が設けられていると、太陽電池モジュール５の取付位置の制約を小さくすることができる。
【００３４】
以上のような構成によれば、固定部品の部品点数の削減を図ることができる。すなわち本実施形態では、太陽光発電システム１は、複数の太陽光パネル１６を支持する太陽光パネル支持ユニット２を有する。本実施形態では、複数の太陽電池モジュール５に含まれる複数のフレーム１７が互いに協働することで、太陽光パネル支持ユニット２の一例が形成されている。
【００３５】
例えば、太陽光パネル支持ユニット２は、第１太陽電池モジュール５Ａの第１部材３１Ａ（第１支持部材）と、第２太陽電池モジュール５Ｂの第２部材３２Ｂ（第２支持部材）とを含む。第１太陽電池モジュール５Ａの第１部材３１Ａは、支持部４１Ａ（第１支持部）と、主取付部４３Ａ（第１取付部）とを有する。支持部４１Ａは、太陽光パネル１６Ａ（第１太陽光パネル）を支持可能である。主取付部４３Ａは、パネル厚さ方向Ｔにおいて支持部４１Ａから第１距離Ｌ１離れた位置に配置されている。主取付部４３Ａは、穴６１Ａ（第１穴）を有する。第２太陽電池モジュール５Ｂの第２部材３２Ｂは、支持部４１Ｂ（第２支持部）と、主取付部４３Ｂ（第２取付部）とを有する。支持部４１Ｂは、太陽光パネル１６Ｂ（第２太陽光パネル）を支持可能である。主取付部４３Ｂは、パネル厚さ方向Ｔにおいて支持部４１Ｂから第１距離Ｌ１よりも短い第２距離Ｌ２離れた位置に配置されている。第２部材３２Ｂの主取付部４３Ｂは、第１部材３１Ａの主取付部４３Ａの穴６１Ａに連通する穴６１Ｂ（第２穴）を有する。第２太陽電池モジュール５Ｂの第２部材３２Ｂの主取付部４３Ｂは、第１太陽電池モジュール５Ａの第１部材３１Ａの主取付部４３Ａに重ねられる。
【００３６】
このような構成によれば、隣接する複数の太陽電池モジュール５を同じ締結部材６６によって纏めて固定することができる。このため、太陽電池モジュール５を固定する固定部品の部品点数の削減、および固定部品の取付工数の削減を図ることができる。これにより、固定部品の材料費の削減および工事費の削減を実現することができる。
【００３７】
本実施形態では、第１太陽電池モジュール５Ａの第１部材３１Ａの主取付部４３Ａは、架台６の上に載せられる。第２太陽電池モジュール５Ｂの第２部材３２Ｂの主取付部４３Ｂは、架台６とは反対側から第１部材３１Ａの主取付部４３Ａに重ねられる。第１部材３１Ａの主取付部４３Ａおよび第２部材３２Ｂの主取付部４３Ｂは、主取付部４３Ａの穴６１Ａおよび主取付部４３Ｂの穴６１Ｂに挿入される締結部材６６によって架台６に共締めされる。
このような構成によれば、隣接する複数の太陽電池モジュール５が締結部材６６によって架台６に纏めて固定される。これにより、固定部品の部品点数の削減、および固定部品の取付工数の削減をさらに図ることができる。
【００３８】
本実施形態では、太陽光パネル１６Ａ，１６Ｂの各々は、複数の太陽電池セル２１と、複数の太陽電池セル２１を封止した封止材２２と、封止材２２に重ねられた前面パネル２３（光透過性パネル）と、前面パネル２３とは反対側から封止材２２に重ねられたバックシート２４とを含む。第１太陽電池モジュール５Ａの第１部材３１Ａは、太陽光パネル１６Ａの封止材２２、前面パネル２３、およびバックシート２４を挟持するフレーム１７Ａの少なくとも一部を形成している。第２太陽電池モジュール５Ｂの第２部材３２Ｂは、太陽光パネル１６Ｂの封止材２２、前面パネル２３、およびバックシート２４を挟持するフレーム１７Ｂの少なくとも一部を形成している。
このような構成によれば、太陽光パネル１６Ａ，１６Ｂの構成要素を挟持するフレーム１７Ａ，１７Ｂに設けられた主取付部４３Ａ，４３Ｂによって、隣接する複数の太陽電池モジュール５を纏めて固定することができる。すなわち、隣接する複数の太陽電池モジュール５を纏めて固定する専用部品をフレーム１７とは別に設ける必要が無くなる。これにより、太陽光パネル支持ユニット２の低コスト化を図ることができる。
【００３９】
次に、第１の実施形態のいくつかの変形例について説明する。なお以下の変形例は、第２乃至第１１の実施形態にも適用可能である。
（第１変形例）
図５は、第１変形例の太陽光パネル支持ユニット２を示す。
図５に示すように、本変形例では、第１太陽電池モジュール５Ａの第１部材３１Ａの主取付部４３Ａの穴６１Ａは、雌ねじを有したねじ穴である。一方で、第２太陽電池モジュール５Ｂの第２部材３２Ｂの主取付部４３Ｂの穴６１Ｂは、雌ねじを有しない単純穴である。締結部材６６は、第２部材３２Ｂの主取付部４３Ｂの穴６１Ｂに通されて、第１部材３１Ａの主取付部４３Ａの穴６１Ａに係合する。これにより、第１太陽電池モジュール５Ａの第１部材３１Ａの主取付部４３Ａと、第２太陽電池モジュール５Ｂの第２部材３２Ｂの主取付部４３Ｂとが連結される。
ここで、締結部材６６は、架台６の穴６５に取り付けらなくてもよい。すなわち、本願で言う「取付部」とは、架台６に固定される取付部に限定されず、複数の太陽電池モジュール５を互いに連結する取付部でもよい。
【００４０】
なお、本変形例（第１部材３１Ａの穴６１Ａに雌ねじが設けられた例）においても、上記第１の実施形態と同様に、締結部材６６は、架台６の穴６５に通されてもよい。架台６の穴６５は、例えば雌ねじを有しない単純穴である。締結部材６６の先端部には、ナット６７が取り付けられる。これにより、２つの太陽電池モジュール５Ａ，５Ｂは、架台６に纏めて固定されてもよい。
【００４１】
（第２変形例）
図６は、第２変形例の太陽光パネル支持ユニット２を示す。
図６に示すように、本変形例では、第１太陽電池モジュール５Ａの第１部材３１Ａの主取付部４３Ａの穴６１Ａ、第２太陽電池モジュール５Ｂの第２部材３２Ｂの主取付部４３Ｂの穴６１Ｂ、および架台６の穴６５は、雌ねじを有しない単純穴である。第１太陽電池モジュール５Ａの第１部材３１Ａの穴６１Ａ、第２太陽電池モジュール５Ｂの第２部材３２Ｂの穴６１Ｂ、および架台６の穴６５には、下方から締結部材６６が挿入されている。
【００４２】
このような構成では、例えば、第１太陽電池モジュール５Ａを架台６の上に載せた後であって第２太陽電池モジュール５Ｂを設置する前に、第１太陽電池モジュール５Ａの第１部材３１Ａの主取付部４３Ａの穴６１Ａおよび架台６の穴６５に締結部材６６が下方から挿入される。そして、第２太陽電池モジュール５Ｂの第２部材３２Ｂの主取付部４３Ｂは、締結部材６６が位置決めとして利用されながら、第１太陽電池モジュール５Ａの第１部材３１Ａの主取付部４３Ａに重ねられる。このため、本変形例の構成によれば、太陽光発電システム１の組立性が向上する。
【００４３】
（第３変形例）
図７は、第３変形例の太陽光パネル支持ユニット２を示す。
図７に示すように、本変形例では、第１太陽電池モジュール５Ａの第１部材３１Ａの主取付部４３Ａの穴６１Ａは、丸穴である。一方で、第２太陽電池モジュール５Ｂの第２部材３２Ｂの主取付部４３Ｂの穴６１Ｂは、長穴である。穴６１Ｂは、例えば第２部材３２Ｂの長手方向に沿う長穴である。なお、穴６１Ｂは、第２部材３２Ｂの長手方向とは交差する方向に沿う長穴でもよい。
【００４４】
このような構成によれば、長穴である第２部材３２Ｂの穴６１Ｂによって、第１太陽電池モジュール５Ａおよび第２太陽電池モジュール５Ｂに含まれる製造上の誤差（寸法公差）を吸収することができる。これにより、太陽光発電システム１の組立性がさらに向上する。
【００４５】
なお、架台６の穴６５は、第２太陽電池モジュール５Ｂの第２部材３２Ｂの穴（長穴）６１Ｂの長手方向とは交差する方向に沿う長穴でもよい。このような構成によれば、複数の方向における寸法公差を吸収することができる。また、第２太陽電池モジュール５Ｂの第２部材３２Ｂの穴６１Ｂおよび架台６の穴６５の少なくとも一方に代えて、第１太陽電池モジュール５Ａの第１部材３１Ａの主取付部４３Ａの穴６１Ａが長穴であってもよい。
【００４６】
（第２の実施形態）
次に、図８を参照して、第２の実施形態について説明する。本実施形態は、第１太陽電池モジュール５Ａのフレーム１７Ａと第２太陽電池モジュール５Ｂのフレーム１７Ｂとが互いに異なる形状を有する点で、第１の実施形態とは異なる。なお、本実施形態のその他の構成は、第１の実施形態の構成と同様である。
【００４７】
本実施形態の太陽光発電システム１は、複数の第１太陽電池モジュール５Ａと、複数の第２太陽電池モジュール５Ｂとを有する。複数の第１太陽電池モジュール５Ａと、複数の第２太陽電池モジュール５Ｂとは、交互に配置されている。
【００４８】
図８に示すように、第１太陽電池モジュール５Ａの第１部材３１Ａおよび第２部材３２Ａの各々の主取付部４３Ａは、パネル厚さ方向Ｔにおいて支持部４１Ａから第１距離Ｌ１離れた位置に配置されている。
一方で、第２太陽電池モジュール５Ｂの第１部材３１Ｂおよび第２部材３２Ｂの各々の主取付部４３Ｂは、パネル厚さ方向Ｔにおいて支持部４１Ｂから第２距離Ｌ２離れた位置に配置されている。
【００４９】
このような構成によっても、第１太陽電池モジュール５Ａの太陽光パネル１６Ａの前面１６ａと第２太陽電池モジュール５Ｂの太陽光パネル１６Ｂの前面１６ａとが略同一面上に位置する状態で、第１太陽電池モジュール５Ａの第１部材３１Ａの主取付部４３Ａと、第２太陽電池モジュール５Ｂの第２部材３２Ｂの主取付部４３Ｂとがパネル厚さ方向Ｔに互いに重ねられる。このため、上記第１の実施形態と同様に、固定部品の部品点数の削減を図ることができる。
【００５０】
（第３の実施形態）
次に、図９から図１１を参照して、第３の実施形態について説明する。本実施形態は、４つの太陽電池モジュール５Ａ，５Ｂ，５Ｃ，５Ｄの主取付部４３Ａ，４３Ｂ，４３Ｃ，４３Ｄが互いに重ねられる点で、第１の実施形態とは異なる。なお、本実施形態のその他の構成は、第１の実施形態の構成と同様である。
【００５１】
図９は、本実施形態の太陽電池モジュール５を示す。なお、図９中の（ａ）は、太陽電池モジュール５の平面図である。図９中の（ｂ）は、図９中の（ａ）に示す太陽電池モジュール５のＡ−Ａ線に沿う断面図である。図９中の（ｃ）は、図９中の（ａ）に示す太陽電池モジュール５のＢ−Ｂ線に沿う断面図である。
図９に示すように、本実施形態の太陽電池モジュール５のフレーム１７は、第１部材（第１部分）３１、第２部材（第２部分）３２、第３部材（第３部分）３３、および第４部材（第４部分）３４を有する。第１部材３１、第２部材３２、第３部材３３、および第４部材３４の各々は、上記第１の実施形態と同様に、支持部４１、起立部４２、主取付部４３、および副取付部４４を有する。
【００５２】
第１部材３１、第２部材３２、第３部材３３、および第４部材３４の各々の支持部４１は、例えば互いに一体に形成されている。これにより、フレーム１７は、太陽光パネル１６の４辺を囲む枠状に形成されている。なお、第１部材３１、第２部材３２、第３部材３３、および第４部材３４の各々の支持部４１は、互いに別々に形成された後に、互いに連結されてもよい。
【００５３】
本実施形態では、第１部材３１、第２部材３２、第３部材３３、および第４部材３４の各々の主取付部４３および副取付部４４は、太陽光パネル１６の４つの角部（隅部）に分かれて配置されている。第１部材３１、第２部材３２、第３部材３３、および第４部材３４の各々の主取付部４３および副取付部４４は、例えば支持部４１と一体に形成されている。なお、第１部材３１、第２部材３２、第３部材３３、および第４部材３４の各々の主取付部４３および副取付部４４は、支持部４１とは別々に形成された後に、支持部４１に連結されてもよい。
【００５４】
図９に示すように、本実施形態では、第１部材３１、第２部材３２、第３部材３３、および第４部材３４の各々の主取付部４３は、互いに異なる高さに設けられている。
【００５５】
詳しく述べると、第１部材３１の主取付部４３は、パネル厚さ方向Ｔにおいて第１部材３１の支持部４１から第１距離Ｌ１離れた位置に配置されている。第２部材３２の主取付部４３は、パネル厚さ方向Ｔにおいて第２部材３２の支持部４１から第１距離Ｌ１よりも短い第２距離Ｌ２離れた位置に配置されている。第３部材３３の主取付部４３は、パネル厚さ方向Ｔにおいて第３部材３３の支持部４１から第２距離Ｌ２よりも短い第３距離Ｌ３離れた位置に配置されている。第４部材３４の主取付部４３は、パネル厚さ方向Ｔにおいて第４部材３４の支持部４１から第３距離Ｌ３よりも短い第４距離Ｌ４離れた位置に配置されている。
【００５６】
なお、第１距離Ｌ１、第２距離Ｌ２、第３距離Ｌ３、第４距離Ｌ４の定義の一例は、上記第１の実施形態と同様である。例えば、第１距離Ｌ１および第２距離Ｌ２の定義は、上記第１の実施形態と同じである。
また、第３距離Ｌ３の一例は、パネル厚さ方向Ｔにおける第３部材３３の支持部４１の中心と、パネル厚さ方向Ｔにおける第３部材３３の主取付部４３の中心との間のパネル厚さ方向Ｔの距離である。第４距離Ｌ４の一例は、パネル厚さ方向Ｔにおける第４部材３４の支持部４１の中心と、パネル厚さ方向Ｔにおける第４部材３４の主取付部４３の中心との間のパネル厚さ方向Ｔの距離である。
また、第３距離Ｌ３の別の一例は、第３部材３３の支持部４１の支持面４１ｓと、第３部材３３の主取付部４３の下面４３ｂとの間のパネル厚さ方向Ｔの距離である。第４距離Ｌ４の別の一例は、第４部材３４の支持部４１の支持面４１ｓと、第４部材３４の主取付部４３の下面４３ｂとの間のパネル厚さ方向Ｔの距離である。
【００５７】
次に、複数の太陽電池モジュール５の取付構造について説明する。
図１０は、架台６に取り付けられた複数の太陽電池モジュール５を示す。図１０に示すように、複数の太陽電池モジュール５は、第１太陽電池モジュール５Ａ、第２太陽電池モジュール５Ｂ、第３太陽電池モジュール５Ｃ、および第４太陽電池モジュール５Ｄを含む。４つの太陽電池モジュール５Ａ，５Ｂ，５Ｃ，５Ｄは、複数の方向（例えば太陽光パネル１６の長手方向および長手方向とは略直交した方向）に並べられている。なお本実施形態では、４つの太陽電池モジュール５Ａ，５Ｂ，５Ｃ，５Ｄは、互いに略同じ構成を有する。
なお以下の説明では、第１太陽電池モジュール５Ａの各構成要素の符号の末尾に「Ａ」を付す。第２太陽電池モジュール５Ｂの各構成要素の符号の末尾に「Ｂ」を付す。第３太陽電池モジュール５Ｃの各構成要素の符号の末尾に「Ｃ」を付す。第４太陽電池モジュール５Ｄの各構成要素の符号の末尾に「Ｄ」を付す。これにより、４つの太陽電池モジュール５Ａ，５Ｂ，５Ｃ，５Ｄの構成要素を区別している。
【００５８】
図１１は、図１０に示された太陽電池モジュール５Ａ，５Ｂ，５Ｃ，５ＤのＦ１１−Ｆ１１線に沿う断面を示す。
図１１に示すように、第１太陽電池モジュール５Ａの第１部材３１Ａの主取付部４３Ａは、架台６の上に載せられている。
第２太陽電池モジュール５Ｂの第２部材３２Ｂの主取付部４３Ｂは、架台６とは反対側から第１太陽電池モジュール５Ａの第１部材３１Ａの主取付部４３Ａの上に載せられている（重ねられている）。
第３太陽電池モジュール５Ｃの第３部材３３Ｃの主取付部４３Ｃは、架台６とは反対側から第２太陽電池モジュール５Ｂの第２部材３２Ｂの主取付部４３Ｂの上に載せられている（重ねられている）。
第４太陽電池モジュール５Ｄの第４部材３４Ｄの主取付部４３Ｄは、架台６とは反対側から第３太陽電池モジュール５Ｃの第３部材３３Ｃの主取付部４３Ｃの上に載せられている（重ねられている）。
【００５９】
これにより、４つの太陽電池モジュール５Ａ，５Ｂ，５Ｃ，５Ｄの主取付部４３Ａ，４３Ｂ，４３Ｃ，４３Ｄは、４つの太陽電池モジュール５Ａ，５Ｂ，５Ｃ，５Ｄの太陽光パネル１６Ａ，１６Ｂ，１６Ｃ，１６Ｄの前面１６ａが略同一面上に位置する状態で、パネル厚さ方向Ｔに互いに重ねられている。４つの太陽電池モジュール５Ａ，５Ｂ，５Ｃ，５Ｄの主取付部４３Ａ，４３Ｂ，４３Ｃ，４３Ｄの穴６１Ａ，６１Ｂ，６１Ｃ，６１Ｄは、互いに連通する。４つの太陽電池モジュール５Ａ，５Ｂ，５Ｃ，５Ｄの主取付部４３Ａ，４３Ｂ，４３Ｃ，４３Ｄは、穴６１Ａ，６１Ｂ，６１Ｃ，６１Ｄに通される締結部材６６によって架台６に共締めされる。
【００６０】
以上のように本実施形態では、太陽光パネル支持ユニット２は、第３太陽電池モジュール５Ｃの第３部材３３Ｃ（第３支持部材）を含む。第３部材３３Ｃは、支持部４１Ｃ（第３支持部）と、主取付部４３Ｃ（第３取付部）とを有する。支持部４１Ｃは、太陽光パネル１６Ｃ（第３太陽光パネル）を支持可能である。主取付部４３Ｃは、パネル厚さ方向Ｔにおいて支持部４１Ｃから第２距離Ｌ２よりも短い第３距離Ｌ３離れた位置に配置されている。第３太陽電池モジュール５Ｃの第３部材３３Ｃの主取付部４３Ｃは、第１太陽電池モジュール５Ａの第１部材３１Ａおよび第２太陽電池モジュール５Ｂの第２部材３２Ｂの主取付部４３Ａ，４３Ｂに重ねられる。第３太陽電池モジュール５Ｃの第３部材３３Ｃの主取付部４３Ｃは、第１太陽電池モジュール５Ａの第１部材３１Ａおよび第２太陽電池モジュール５Ｂの第２部材３２Ｂの主取付部４３Ａ，４３Ｂの穴６１Ａ，６１Ｂに連通する穴６１Ｃ（第３穴）を有する。
【００６１】
さらに本実施形態では、太陽光パネル支持ユニット２は、第４太陽電池モジュール５Ｄの第４部材３４Ｄ（第４支持部材）を含む。第４部材３４Ｄは、支持部４１Ｄ（第４支持部）と、主取付部４３Ｄ（第４取付部）とを有する。支持部４１Ｄは、太陽光パネル１６Ｄ（第４太陽光パネル）を支持可能である。主取付部４３Ｄは、パネル厚さ方向Ｔにおいて支持部４１Ｄから第３距離Ｌ３よりも短い第４距離Ｌ４離れた位置に配置されている。第４太陽電池モジュール５Ｄの第４部材３４Ｃの主取付部４３Ｄは、第１太陽電池モジュール５Ａの第１部材３１Ａ、第２太陽電池モジュール５Ｂの第２部材３２Ｂ、および第３太陽電池モジュール５Ｃの第３部材３３Ｃの主取付部４３Ａ，４３Ｂ，４３Ｃに重ねられる。第４太陽電池モジュール５Ｄの第４部材３４Ｄの主取付部４３Ｄは、第１太陽電池モジュール５Ａの第１部材３１Ａ、第２太陽電池モジュール５Ｂの第２部材３２Ｂ、および第３太陽電池モジュール５Ｃの第３部材３３Ｃの主取付部４３Ａ，４３Ｂ，４３Ｃの穴６１Ａ，６１Ｂ，６１Ｃに連通する穴６１Ｄ（第４穴）を有する。
このような構成によれば、４つの太陽電池モジュール５Ａ，５Ｂ，５Ｃ，５Ｄを同じ締結部材６６によって纏めて固定することができる。これにより、固定部品の部品点数の削減をさらに図ることができる。
【００６２】
（第４の実施形態）
次に、図１２および図１３を参照して、第４の実施形態について説明する。本実施形態は、第１から第４の部材３１，３２，３３，３４の主取付部４３に、それぞれ識別部が設けられた点で第３の実施形態とは異なる。なお、本実施形態のその他の構成は、第３の実施形態の構成と同様である。
【００６３】
図１２は、本実施形態の太陽電池モジュール５（例えば、第１から第４の太陽電池モジュール５Ａ，５Ｂ，５Ｃ，５Ｄ）を示す平面図である。
図１２に示すように、本実施形態の太陽電池モジュール５のフレーム１７は、第１部材（第１部分）３１、第２部材（第２部分）３２、第３部材（第３部分）３３、および第４部材（第４部分）３４を有する。本実施形態では、第１部材３１の主取付部４３（第１取付部）は、第１識別部２０１を有する。第２部材３２の主取付部４３（第２取付部）は、第２識別部２０２を有する。第３部材３３の主取付部４３（第３取付部）は、第３識別部２０３を有する。第４部材３４の主取付部４３（第４取付部）は、第４識別部２０４を有する。
【００６４】
第１識別部２０１は、例えば、数字の１を示すマーク（表示）を含む。第２識別部２０２は、例えば、数字の２を示すマークを含む。第３識別部２０３は、例えば、数字の３を示すマークを含む。第４識別部２０４は、例えば、数字の４を示すマークを含む。これにより、第１から第４の識別部２０１，２０２，２０３，２０４は、互いに見た目が異なり、外観で区別可能である。なお、第１から第４の識別部２０１，２０２，２０３，２０４は、上記に代えて、または、上記に加えて、色や模様などが互いに異なることで互いに見た目が異なってもよい。言い換えると、第１から第４の識別部２０１，２０２，２０３，２０４は、番号、色、模様などの少なくとも一つが互いに異なればよい。
【００６５】
第１から第４の部材３１，３２，３３，３４の各々の主取付部４３は、側面４３ｃを有する。側面４３ｃは、主取付部４３の上面４３ａと下面４３ｂとの間に延びた面であり、例えばパネル厚さ方向Ｔに沿う面である。第１から第４の部材３１，３２，３３，３４の主取付部４３の側面４３ｃは、複数の太陽電池モジュール５（例えば、第１から第４の太陽電池モジュール５Ａ，５Ｂ，５Ｃ，５Ｄ）が第３実施形態のように重ねられる場合に、主取付部４３同士で互いに覆われない部分である。
【００６６】
第１部材３１の主取付部４３の側面４３ｃには、第１識別部２０１の少なくとも一部が設けられる。第２部材３２の主取付部４３の側面４３ｃには、第２識別部２０２の少なくとも一部が設けられる。第３部材３３の主取付部４３の側面４３ｃには、第３識別部２０３の少なくとも一部が設けられる。第４部材３４の主取付部４３の側面４３ｃには、第４識別部２０４の少なくとも一部が設けられる。言い換えると、第１から第４の部材３１，３２，３３，３４の主取付部４３の側面４３ｃは、番号、色、模様などの少なくとも一つが互いに異なる。
【００６７】
図１３は、本実施形態のスペーサ７１Ａ，７１Ｂ，７１Ｃ，７１Ｄを示す平面図である。図１３に示すように、本実施形態の太陽光パネル支持ユニット２は、例えば、第１スペーサ７１Ａ、第２スペーサ７１Ｂ、第３スペーサ７１Ｃ、および第４スペーサ７１Ｄの少なくとも一つを含む。第１から第４のスペーサ７１Ａ，７１Ｂ，７１Ｃ，７１Ｄの各々は、締結部材６６が通される挿通部２０５を有する。挿通部２０５は、スペーサ７１Ａ，７１Ｂ，７１Ｃ，７１Ｄに設けられた切欠き部または穴である。
【００６８】
第１スペーサ７１Ａは、第１部材３１の主取付部４３（第１取付部）に対応したスペーサである。第１スペーサ７１Ａは、第１部材３１の主取付部４３が存在しない場所において第１部材３１の主取付部４３の代わりに設けられ、別の太陽電池モジュール５の第２部材３２の主取付部４３などに重ねられる。例えば、第１スペーサ７１Ａは、別の太陽電池モジュール５の第２部材３２の主取付部４３と架台６との間に挿入される。第２スペーサ７１Ｂは、第２部材３２の主取付部４３（第２取付部）に対応したスペーサである。第２スペーサ７１Ｂは、第２部材３２の主取付部４３が存在しない場所において第２部材３２の主取付部４３の代わりに設けられ、別の太陽電池モジュール５の第１部材３１の主取付部４３と、さらに別の太陽電池モジュール５の第３部材３３の主取付部４３とに重ねられる。例えば、第２スペーサ７１Ｂは、別の太陽電池モジュール５の第１部材３１の主取付部４３と、さらに別の太陽電池モジュール５の第３部材３３の主取付部４３との間に挿入される。第３スペーサ７１Ｃは、第３部材３３の主取付部４３（第３取付部）に対応したスペーサである。第３スペーサ７１Ｃは、第３部材３３の主取付部４３が存在しない場所において第３部材３３の主取付部４３の代わりに設けられ、別の太陽電池モジュール５の第２部材３２の主取付部４３と、さらに別の太陽電池モジュール５の第４部材３４の主取付部４３とに重ねられる。例えば、第３スペーサ７１Ｃは、別の太陽電池モジュール５の第２部材３２の主取付部４３と、さらに別の太陽電池モジュール５の第４部材３４の主取付部４３との間に挿入される。第４スペーサ７１Ｄは、第４部材３４の主取付部４３（第４取付部）に対応したスペーサである。第４スペーサ７１Ｄは、第４部材３４の主取付部４３が存在しない場所において第４部材３４の主取付部４３の代わりに設けられ、別の太陽電池モジュール５の第３部材３３の主取付部４３などに重ねられる。例えば、第４スペーサ７１Ｄは、別の太陽電池モジュール５の第３部材３３の主取付部４３の上に載せられる。
【００６９】
本実施形態では、第１スペーサ７１Ａには、第１識別部２０１と略同じ識別部２１１が設けられている。例えば、第１スペーサ７１Ａの識別部２１１は、番号、色、模様などの少なくとも一つが第１識別部２０１と略同じである。第２スペーサ７１Ｂには、第２識別部２０２と略同じ識別部２１２が設けられている。例えば、第２スペーサ７１Ｂの識別部２１２は、番号、色、模様などの少なくとも一つが第２識別部２０２と略同じである。第３スペーサ７１Ｃには、第３識別部２０３と略同じ識別部２１３が設けられている。例えば、第３スペーサ７１Ｃの識別部２１３は、番号、色、模様などの少なくとも一つが第３識別部２０３と略同じである。第４スペーサ７１Ｄには、第４識別部２０４と略同じ識別部２１４が設けられている。例えば、第４スペーサ７１Ｄの識別部２１４は、番号、色、模様などの少なくとも一つが第４識別部２０４と略同じである。
【００７０】
図１３に示すように、第１から第４のスペーサ７１Ａ，７１Ｂ，７１Ｃ，７１Ｄの各々は、側面７１ｃを有する。側面７１ｃは、例えばパネル厚さ方向Ｔに沿う面であり、主取付部４３の側面４３ｃと略平行に延びた面である。第１スペーサ７１Ａの側面７１ｃには、識別部２１１の少なくとも一部が設けられている。第２スペーサ７１Ｂの側面７１ｃには、識別部２１２の少なくとも一部が設けられている。第３スペーサ７１Ｃの側面７１ｃには、識別部２１３の少なくとも一部が設けられている。第４スペーサ７１Ｄの側面７１ｃには、識別部２１４の少なくとも一部が設けられている。言い換えると、第１から第４のスペーサ７１Ａ，７１Ｂ，７１Ｃ，７１Ｄの側面７１ｃは、番号、色、模様などの少なくとも一つが互いに異なる。
【００７１】
ここで、第１から第４の部材３１，３２，３３，３４の主取付部４３の高さが互いに異なる場合、太陽電池モジュール５の向きを一定に揃えないと、複数の太陽電池モジュール５を組み付けることができない。そこで本実施形態では、第１から第４の部材３１，３２，３３，３４の主取付部４３は、見た目が互いに異なる第１から第４の識別部２０１，２０２，２０３，２０４を有する。このため、太陽電池モジュール５を設置する作業者は、第１から第４の識別部２０１，２０２，２０３，２０４の少なくとも１つを見ることで、太陽電池モジュール５のその時点での向きを容易に確認することができる。これにより、複数の太陽電池モジュール５を一定の向きに容易に揃えることができる。これにより、複数の太陽電池モジュール５の組立性を向上させることができる。
【００７２】
また、設置場所などの制約で、隣接して配置される太陽電池モジュール５の数が減少する場合がある。この場合、パネル厚さ方向Ｔにおいて減少した太陽電池モジュール５の主取付部４３に相当する隙間が生じる。パネル厚さ方向Ｔにおいて隙間が生じた場合、不陸のばらつきが生じたり、構造強度が低下する場合がある。
【００７３】
そこで本実施形態では、太陽光パネル支持ユニット２は、第１スペーサ７１Ａ、第２スペーサ７１Ｂ、第３スペーサ７１Ｃ、および第４スペーサ７１Ｄの少なくとも一つを含む。これにより、隣接して配置される太陽電池モジュール５の数が減少する場合、パネル厚さ方向Ｔに生じる隙間に対してスペーサ７１Ａ，７１Ｂ，７１Ｃ，７１Ｄのいずれか１つ以上を差し込むことで、パネル厚さ方向Ｔにおける隙間を埋めることができる。これにより、不陸の平準化を図ることができ、構造強度や見栄えの向上を図ることができる。
【００７４】
さらに本実施形態では、第１スペーサ７１Ａ、第２スペーサ７１Ｂ、第３スペーサ７１Ｃ、および第４スペーサ７１Ｄは、それぞれ対応する第１から第４の部材３１，３２，３３，３２の主取付部４３の識別部２０１，２０２，２０３，２０４と番号、色、模様などの少なくとも一つが略同じ識別部２１１，２１２，２１３，２１４を有する。このため、スペーサの差し込み忘れがある場合には、スペーサが無い場所が目立ちやすくなる。これにより、スペーサの有無の点検のしやすさを向上させ、スペーサの差し込み忘れを抑制することができる。
【００７５】
例えば、主取付部４３の側面４３ｃに識別部２０１，２０２，２０３，２０４が設けられ、スペーサ７１Ａ，７１Ｂ，７１Ｃ，７１Ｄの側面７１ｃに識別部２１１，２１２，２１３，２１４が設けられると、複数の主取付部４３が重ねられた状態でも識別部を確認しやすくなる。これにより、スペーサの差し込み忘れをさらに高いレベルで抑制することができる。
【００７６】
なお、第１識別部２０１および第２識別部２０２は、例えば、高さが異なる２種類の主取付部４３（例えば、第１の実施形態における第１部材３１の主取付部４３および第２部材３２の主取付部４３）のみが設けられた場合に、それら２種類の主取付部４３のみに設けられてもよい。また、識別部２０１，２０２，２０３，２０４は、主取付部４３に代えて、または主取付部４３に加えて、フレーム１７の別の一部に設けられてもよい。例えば、識別部２０１，２０２，２０３，２０４は、太陽電池モジュール５の中心（例えば、太陽光パネル１６の中心）から見て、互いに異なる位置に設けられる。
【００７７】
（第５の実施形態）
次に、図１４および図１５を参照して、第５の実施形態について説明する。本実施形態は、２種類の支持部材によって４つの太陽電池モジュール５の一部が互いに重ねて配置される点で第３の実施形態とは異なる。なお、本実施形態のその他の構成は、第３の実施形態の構成と同様である。
【００７８】
図１４は、本実施形態の太陽電池モジュール５（例えば、第１から第４の太陽電池モジュール５Ａ，５Ｂ，５Ｃ，５Ｄ）を示す。なお、図１４中の（ａ）は、太陽電池モジュール５の平面図である。図１４中の（ｂ）は、図１４中の（ａ）に示す太陽電池モジュール５のＡ−Ａ線に沿う断面図である。図１４中の（ｃ）は、図１４中の（ａ）に示す太陽電池モジュール５のＢ−Ｂ線に沿う断面図である。図１４中の（ｄ）は、図１４中の（ａ）に示す太陽電池モジュール５のＣ−Ｃ線に沿う断面図である。
【００７９】
図１４に示すように、本実施形態の太陽電池モジュール５のフレーム１７は、第１部材（第１部分）３１、第２部材（第２部分）３２、第３部材（第３部分）３３、および第４部材（第４部分）３４を有する。
【００８０】
本実施形態では、第１部材３１の主取付部４３と、第３部材３３の主取付部４３とは、互いに同じ高さに設けられている。例えば、第１部材３１の主取付部４３は、パネル厚さ方向Ｔにおいて第１部材３１の支持部４１から第１距離Ｌ１離れた位置に配置されている。第３部材３３の主取付部４３は、パネル厚さ方向Ｔにおいて第３部材３３の支持部４１から第１距離Ｌ１離れた位置に配置されている。本実施形態では、第１部材３１および第３部材３３は、互いに形状が略同じ（例えば線対称）である部材である。
【００８１】
また、第２部材３２の主取付部４３と、第４部材３４の主取付部４３とは、互いに同じ高さに設けられている。例えば、第２部材３２の主取付部４３は、パネル厚さ方向Ｔにおいて第２部材３２の支持部４１から第２距離Ｌ２離れた位置に配置されている。第４部材３４の主取付部４３は、パネル厚さ方向Ｔにおいて第４部材３４の支持部４１から第２距離Ｌ２離れた位置に配置されている。本実施形態では、第２部材３２および第４部材３４は、互いに形状が略同じ（例えば線対称）である部材である。
【００８２】
次に、複数の太陽電池モジュール５の取付構造について説明する。
図１５は、本実施形態の太陽電池モジュール５の配置を示す。なお、図１５中の（ａ）は、複数の太陽電池モジュール５の平面図である。図１５中の（ｂ）は、図１５中の（ａ）に示す複数の太陽電池モジュール５のＡ−Ａ線に沿う断面図である。図１５中の（ｃ）は、図１５中の（ａ）に示す複数の太陽電池モジュール５のＢ−Ｂ線に沿う断面図である。
【００８３】
図１５中の一点鎖線Ｍで示す領域について見ると、第１太陽電池モジュール５Ａの第１部材３１Ａの主取付部４３Ａは、架台６の上に載せられている。第２太陽電池モジュール５Ｂの第２部材３２Ｂの主取付部４３Ｂは、架台６とは反対側から第１太陽電池モジュール５Ａの第１部材３１Ａの主取付部４３Ａの上に載せられている（重ねられている）。第３太陽電池モジュール５Ｃの第３部材３３Ｃの主取付部４３Ｃは、架台６とは反対側から第２太陽電池モジュール５Ｂの第２部材３２Ｂの主取付部４３Ｂの上に載せられている（重ねられている）。第４太陽電池モジュール５Ｄの第４部材３４Ｄの主取付部４３Ｄは、架台６とは反対側から第３太陽電池モジュール５Ｃの第３部材３３Ｃの主取付部４３Ｃの上に載せられている（重ねられている）。
【００８４】
これにより、４つの太陽電池モジュール５Ａ，５Ｂ，５Ｃ，５Ｄの主取付部４３Ａ，４３Ｂ，４３Ｃ，４３Ｄは、パネル厚さ方向Ｔに互いに重ねられている。本実施形態では、第１および第２の太陽電池モジュール５Ａ，５Ｂの太陽光パネル１６Ａ，１６Ｂの前面（受光面）１６ａは、互いに略同一面に位置する。また、第３および第４の太陽電池モジュール５Ｃ，５Ｄの太陽光パネル１６Ｃ，１６Ｄの前面（受光面）１６ａは、互いに略同一面に位置する。一方で、第３および第４の太陽電池モジュール５Ｃ，５Ｄの太陽光パネル１６Ｃ，１６Ｄの前面１６ａは、第１および第２の太陽電池モジュール５Ａ，５Ｂの太陽光パネル１６Ａ，１６Ｂの前面１６ａとは異なる高さに位置する。
【００８５】
以上のように本実施形態では、２種類の高さが異なる主取付部４３を有した太陽電池モジュール５を４段重ね合わせている。そして、架台６（または地面）と太陽電池モジュール５との間の隙間には、スペーサ７１が差し込まれている。これにより、２種類の高さが異なる主取付部４３を有した太陽電池モジュール５であっても、隣り合う４つの太陽電池モジュール５の主取付部４３をパネル厚さ方向Ｔに重ねて締結部材６６によって共締めすることができる。このような構成によれば、４種類の高さが異なる主取付部４３を有した太陽電池モジュール５を準備する場合に比べて、太陽光発電システム１の製造コストの削減を図ることができる。
【００８６】
（変形例）
図１６に示すように、第５の実施形態で説明した第１部材３１と第３部材３３は、１つの第１部材３１として一体に形成されてもよい。同様に、第５の実施形態で説明した第２部材３２と第４部材３４は、１つの第２部材３２として一体に形成されてもよい。このような構成によっても、第５の実施形態と同様に、２種類の高さが異なる主取付部４３を有した太陽電池モジュール５を４段重ね合わせることができる。これにより、太陽光発電システム１の製造コストの削減を図ることができる。
【００８７】
（第６の実施形態）
次に、図１７および図１８を参照して、第６の実施形態について説明する。本実施形態は、太陽光パネル１６が水平方向に対して斜めの角度で支持された点で第５の実施形態とは異なる。なお、本実施形態のその他の構成は、第５の実施形態の構成と同様である。
【００８８】
図１７は、本実施形態の太陽電池モジュール５（例えば、第１から第４の太陽電池モジュール５Ａ，５Ｂ，５Ｃ，５Ｄ）を示す。なお、図１７中の（ａ）は、太陽電池モジュール５の平面図である。図１７中の（ｂ）は、図１７中の（ａ）に示す太陽電池モジュール５のＡ−Ａ線に沿う断面図である。図１７中の（ｃ）は、図１７中の（ａ）に示す太陽電池モジュール５のＢ−Ｂ線に沿う断面図である。図１７中の（ｄ）は、図１７中の（ａ）に示す太陽電池モジュール５のＣ−Ｃ線に沿う断面図である。図１７に示すように、太陽電池モジュール５のフレーム１７は、太陽光パネル１６が水平方向に対して傾斜した姿勢で太陽光パネル１６を支持する。言い換えると、太陽電池モジュール５のフレーム１７は、該太陽電池モジュール５が取り付けられる設置面（例えば架台６）に対して太陽光パネル１６を傾斜した姿勢で支持する。
【００８９】
図１８は、本実施形態の太陽電池モジュール５の配置を示す。なお、図１８中の（ａ）は、複数の太陽電池モジュール５の平面図である。図１８中の（ｂ）は、図１８中の（ａ）に示す複数の太陽電池モジュール５のＡ−Ａ線に沿う断面図である。図１８中の（ｃ）は、図１８中の（ａ）に示す複数の太陽電池モジュール５のＢ−Ｂ線に沿う断面図である。
【００９０】
図１８に示すように、第１太陽電池モジュール５Ａのフレーム１７Ａ（例えば、第１部材３１Ａの支持部４１Ａ）は、第１太陽光パネル１６Ａを水平方向に対して傾斜した姿勢で支持する。第２太陽電池モジュール５Ｂのフレーム１７Ｂ（例えば、第２部材３２Ｂの支持部４１Ｂ）は、第２太陽光パネル１６Ｂを水平方向に対して傾斜した姿勢で支持する。第３太陽電池モジュール５Ｃのフレーム１７Ｃ（例えば、第３部材３３Ｃの支持部４１Ｃ）は、第３太陽光パネル１６Ｃを水平方向に対して傾斜した姿勢で支持する。第４太陽電池モジュール５Ｄのフレーム１７Ｄ（例えば、第４部材３４の支持部４１Ｄ）は、第４太陽光パネル１６Ｄを水平方向に対して傾斜した姿勢で支持する。第１から第４の太陽光パネル１６Ａ，１６Ｂ，１６Ｃ，１６Ｄは、互いに略同じ方向に向けて傾斜している。
【００９１】
以上のように本実施形態では、各太陽電池モジュール５の太陽光パネル１６にアレイ角度がつけられている。これにより、太陽光発電システム１の集電効率を高めることができる。
【００９２】
（第７の実施形態）
次に、図１９から図２１を参照して、第７の実施形態について説明する。本実施形態は、第１から第４の部材３１，３２，３３，３４の主取付部４３の上面４３ａおよび下面４３ｂの一方が傾斜部を有した点で第３の実施形態とは異なる。なお、本実施形態のその他の構成は、第３の実施形態の構成と同様である。また、図１９から図２１では、各太陽電池モジュール５の構成の一部を模式的に示す。
【００９３】
図１９は、本実施形態の太陽電池モジュール５（例えば、第１から第４の太陽電池モジュール５Ａ，５Ｂ，５Ｃ，５Ｄ）を示す。図１９に示すように、太陽電池モジュール５のフレーム１７は、第１部材（第１部分）３１、第２部材（第２部分）３２、第３部材（第３部分）３３、および第４部材（第４部分）３４を有する。
【００９４】
本実施形態では、第１部材３１の主取付部４３と、第３部材３３の主取付部４３とは、互いに略同じ高さに設けられている。なお、第１部材３１の主取付部４３と、第３部材３３の主取付部４３とが略同じ高さに位置するとは、例えば、第１部材３１の主取付部４３の上面４３ａの一部と、第３部材３３の主取付部４３の上面４３ａの一部とが略同じ高さに位置する、または、第１部材３１の主取付部４３の下面４３ｂの一部と、第３部材３３の主取付部４３の下面４３ｂの一部とが略同じ高さに位置することを意味する。第１部材３１の主取付部４３は、パネル厚さ方向Ｔにおいて第１部材３１の支持部４１から第１距離Ｌ１離れた位置に配置されている。同様に、第３部材３３の主取付部４３は、パネル厚さ方向Ｔにおいて第３部材３３の支持部４１から第１距離Ｌ１離れた位置に配置されている。
【００９５】
また本実施形態では、第２部材３２の主取付部４３と、第４部材３４の主取付部４３とは、互いに略同じ高さに設けられている。第２部材３２の主取付部４３と、第４部材３４の主取付部４３とが略同じ高さに位置するとは、例えば、第２部材３２の主取付部４３の上面４３ａの一部と、第４部材３４の主取付部４３の上面４３ａの一部とが略同じ高さに位置する、または第２部材３２の主取付部４３の下面４３ｂの一部と、第４部材３４の主取付部４３の下面４３ｂの一部とが略同じ高さに位置することを意味する。第２部材３２の主取付部４３は、パネル厚さ方向Ｔにおいて第２部材３２の支持部４１から第２距離Ｌ２離れた位置に配置されている。同様に、第４部材３４の主取付部４３は、パネル厚さ方向Ｔにおいて第４部材３４の支持部４１から第２距離Ｌ２離れた位置に配置されている。
【００９６】
ここで本実施形態では、第１部材３１の主取付部４３の上面４３ａは、第１傾斜部２３１を有する。第１傾斜部２３１は、太陽光パネル１６の前面（受光面）１６ａに対して傾斜している。第１傾斜部２３１は、例えば、隣の太陽電池モジュール５に近付くに従い主取付部４３の上面４３ａの一部が徐々に低くなるように傾斜している。第１傾斜部２３１は、締結部材６６が挿入される穴６１を有する。
【００９７】
第２部材３２の主取付部４３の上面４３ａは、第２傾斜部２３２を有する。第２傾斜部２３２は、太陽光パネル１６の前面１６ａに対して傾斜している。第２傾斜部２３２は、例えば、隣の太陽電池モジュール５に近付くに従い主取付部４３の上面４３ａの一部が徐々に高くなるように傾斜している。第２傾斜部２３２は、締結部材６６が挿入される穴６１を有する。
【００９８】
第３部材３３の主取付部４３の下面４３ｂは、第３傾斜部２３３を有する。第３傾斜部２３３は、太陽光パネル１６の前面１６ａに対して傾斜している。第３傾斜部２３３は、第１傾斜部２３１と略同じ方向に傾斜し、隣の太陽電池モジュール５の第１傾斜部２３１に重ねられる。第３傾斜部２３３は、締結部材６６が挿入される穴６１を有する。
【００９９】
第４部材３４の主取付部４３の下面４３ｂは、第４傾斜部２３４を有する。第４傾斜部２３４は、太陽光パネル１６の前面１６ａに対して傾斜している。第４傾斜部２３４は、第２傾斜部２３２と略同じ方向に傾斜し、隣の太陽電池モジュール５の第２傾斜部２３２に重ねられる。第４傾斜部２３４は、締結部材６６が挿入される穴６１を有する。
【０１００】
次に、複数の太陽電池モジュール５の取付構造について説明する。
図２０は、本実施形態の第１および第３の太陽電池モジュール５Ａ，５Ｃの配置を示す。図２０に示すように、第３太陽電池モジュール５Ｃの第３部材３３Ｃの主取付部４３Ｃの第３傾斜部２３３Ｃは、第１太陽電池モジュール５Ａの第１部材３１Ａの主取付部４３Ａの第１傾斜部２３１Ａに重ねられる。これにより、第１太陽電池モジュール５Ａの第１部材３１Ａの主取付部４３Ａと、第３太陽電池モジュール５Ｃの第３部材３３Ｃの主取付部４３Ｃとは、互いに略同じ高さに位置した状態で、少なくとも一部同士を互いに重ねられる。
【０１０１】
図２１は、本実施形態の第２および第４の太陽電池モジュール５Ｂ，５Ｄの配置を示す。図２１に示すように、第４太陽電池モジュール５Ｄの第４部材３４Ｄの主取付部４３Ｄの第４傾斜部２３４Ｄは、第２太陽電池モジュール５Ｂの第２部材３２Ｂの主取付部４３Ｂの第２傾斜部２３２Ｂに重ねられる。これにより、第２太陽電池モジュール５Ｂの第２部材３２Ｂの主取付部４３Ｂと、第４太陽電池モジュール５Ｄの第４部材３４Ｄの主取付部４３Ｄとは、互いに略同じ高さに位置した状態で、少なくとも一部同士を互いに重ねることができる。
【０１０２】
以上のようにして重ねられた第２太陽電池モジュール５Ｂおよび第４太陽電池モジュール５Ｄ（図２１に示された２つの太陽電池モジュール５のセット）の主取付部４３Ｂ，４３Ｄは、同様に重ねられた第１太陽電池モジュール５Ａおよび第３太陽電池モジュール５Ｃ（図２０に示された２つの太陽電池モジュール５のセット）の主取付部４３Ａ，４３Ｃに上方から重ねられる。これにより、４つの太陽電池モジュール５Ａ，５Ｂ，５Ｃ，５Ｄの主取付部４３Ａ，４３Ｂ，４３Ｃ，４３Ｄは、４つの太陽電池モジュール５Ａ，５Ｂ，５Ｃ，５Ｄの太陽光パネル１６Ａ，１６Ｂ，１６Ｃ，１６Ｄの前面１６ａが略同一面上に位置する状態で、パネル厚さ方向Ｔに互いに重ねられている。各傾斜部２３１，２３２，２３３，２３４に設けられた穴６１Ａ，６１Ｂ，６１Ｃ，６１Ｄは、互いに連通するとともに、締結部材６６が通されている。
【０１０３】
以上のように本実施形態では、第１から第４の部材３１，３２，３３，３４の主取付部４３は、傾斜部２３１，２３２，２３３，２３４が設けられることで互いに形状が異なり、外観から区別可能である。このため、太陽電池モジュール５を設置する作業者は、第１から第４の傾斜部２３１，２３２，２３３，２３４の少なくとも１つを見ることで、太陽電池モジュール５のその時点での向きを容易に確認することができる。これにより、複数の太陽電池モジュール５を一定の向きに容易に揃えることができる。これにより、複数の太陽電池モジュール５の組立性を向上させることができる。また本実施形態の構成によれば、例えば、第１部材３１の主取付部４３と、第３部材３３の主取付部４３とが略同じ高さに位置するため、太陽光発電システム１の薄型化を図ることも可能である。また本実施形態でも、ボルトなどの締結部材６６および取付工数の削減を図ることが可能である。これにより、締結部材６６の材料費および工事費の低減を見込むことができる。
【０１０４】
なお、第１傾斜部２３１および第２傾斜部２３２の少なくとも一方は、主取付部４３の上面４３ａに代えて、主取付部４３の下面４３ｂに設けられてもよい。同様に、第３傾斜部２３３および第４傾斜部２３４の少なくとも一方は、主取付部４３の下面４３ｂに代えて、主取付部４３の上面４３ａに設けられてもよい。
【０１０５】
また本実施形態においても、傾斜部２３１，２３２，２３３，２３４の形状に対応したスペーサ７１を設けることで、設置場所の制約などでパネル厚さ方向Ｔに隙間が生じることを抑制することができる。
【０１０６】
（第８の実施形態）
次に、図２２および図２３を参照して、第８の実施形態について説明する。本実施形態は、フレーム１７に溝９１が設けられており、少なくとも１つの主取付部４３が溝９１に沿ってスライド移動可能である点で、第１の実施形態とは異なる。なお、本実施形態のその他の構成は、第１の実施形態の構成と同様である。
【０１０７】
図２２に示すように、第２太陽電池モジュール５Ｂの第２部材３２Ｂは、溝（切欠き溝、ガイド溝）９１を有する。詳しく述べると、第２太陽電池モジュール５Ｂの第２部材３２Ｂは、第１太陽電池モジュール５Ａに面する側面９２を有する。溝９１は、第２部材３２Ｂの側面９２に設けられて、第２部材３２Ｂの側面９２から第２太陽電池モジュール５Ｂの内側に向けて窪んでいる。溝９１は、パネル厚さ方向Ｔに沿って設けられている。溝９１は、支持部４１Ｂと起立部４２Ｂとに亘って設けられている。溝９１は、パネル厚さ方向Ｔにおいて外部に開口した開口部９３を有する。
【０１０８】
溝９１は、中央部９１ａ、第１凹部９１ｂ、および第２凹部９１ｃを有する。第１凹部９１ｂおよび第２凹部９１ｃは、第２部材３２Ｂの側面９２から離れた位置に設けられている。第１凹部９１ｂは、第２部材３２Ｂの長手方向において中央部９１ａから窪んでいる。第２凹部９１ｃは、第２部材３２Ｂの長手方向において、第１凹部９１ｂとは反対方向に中央部９１ａから窪んでいる。中央部９１ａ、第１凹部９１ｂ、および第２凹部９１ｃの各々は、一定の形状を有してパネル厚さ方向Ｔに延びている。
【０１０９】
本実施形態では、第２部材３２Ｂの主取付部４３Ｂは、固定用穴座として、第２部材３２Ｂの支持部４１Ｂおよび起立部４２Ｂとは別体に形成されている。第２部材３２Ｂの主取付部４３Ｂは、開口部９３から溝９１に挿入されて、溝９１に沿ってスライド移動可能なスライド体である。詳しく述べると、主取付部４３Ｂは、溝９１に挿入される挿入部１０１と、溝９１の外部に突出した突出部１０２とを有する。挿入部１０１は、溝９１の形状に対応した外形を有する。例えば、挿入部１０１は、溝９１の第１凹部９１ｂに挿入される第１突起１０１ａと、溝９１の第２凹部９１ｃに挿入される第２突起１０１ｂとを含む。第１突起１０１ａおよび第２突起１０１ｂが第１凹部９１ｂおよび第２凹部９１ｃに挿入されることで、第２部材３２Ｂの主取付部４３Ｂは、溝９１の側方に外れなくなる。
【０１１０】
図２３は、図２２に示された太陽光パネル支持ユニット２のＦ２３−Ｆ２３線に沿う断面図である。
図２３に示すように、第２太陽電池モジュール５Ｂの第２部材３２Ｂの主取付部４３Ｂは、第１太陽電池モジュール５Ａ、および主取付部４３Ｂを除く第２太陽電池モジュール５Ｂが架台６に載せられた後に、第２太陽電池モジュール５Ｂの開口部９３から溝９１に挿入される。これにより、主取付部４３Ｂは、架台６とは反対側から第１太陽電池モジュール５Ａの第１部材３１Ａの主取付部４３Ａに重なる。第１部材３１Ａおよび第２部材３２Ｂの主取付部４３Ａ，４３Ｂの穴６１Ａ，６１Ｂには、締結部材６６が通される。これにより、第１太陽電池モジュール５Ａの第１部材３１Ａおよび第２太陽電池モジュール５Ｂの第２部材３２Ｂの主取付部４３Ａ，４３Ｂは、締結部材６６によって架台６に共締めされる。
【０１１１】
このような構成によれば、上記第１の実施形態と同様に、固定部品の部品点数の削減を図ることができる。
また本実施形態では、第２太陽電池モジュール５Ｂの第２部材３２Ｂ（第２支持部材）は、パネル厚さ方向Ｔに沿う溝９１を有する。第２部材３２Ｂの主取付部４３Ｂ（第２取付部）は、第２部材３２Ｂの支持部４１Ｂとは別体として形成されるとともに、少なくとも一部が溝９１に挿入されて、溝９１に沿ってスライド移動可能である。
このような構成によれば、第１太陽電池モジュール５Ａの第１部材３１Ａの主取付部４３Ａの厚さに比較的大きな製造上の誤差（寸法公差）がある場合でも、第２太陽電池モジュール５Ｂの第２部材３２Ｂの主取付部４３Ｂを第１太陽電池モジュール５Ａの第１部材３１Ａの主取付部４３Ａに隙間無く重ねることができる。これにより、太陽光発電システム１の組立性をさらに向上させることができる。
【０１１２】
本実施形態では、溝９１は、パネル厚さ方向Ｔにおいて第２部材３２Ｂの外部に開口している。このような構成によれば、パネル厚さ方向Ｔから溝９１に主取付部４３Ｂを挿入することができる。これにより、太陽光発電システム１の組立性をさらに向上させることができる。
【０１１３】
（変形例）
図２４は、第８の実施形態のひとつの変形例を示す。
図２４に示す変形例は、上記第８の実施形態において、第２太陽電池モジュール５Ｂの第２部材３２Ｂの主取付部４３Ｂが、第１太陽電池モジュール５Ａの第１部材３１Ａと一体に設けられた構造である。
なお本変形例の以下の説明では、説明の便宜上、溝９１が第１太陽電池モジュール５Ａに設けられ、溝９１に挿入される主取付部４３が第２太陽電池モジュール５Ｂと一体に設けられた例（すなわち、上記第８の実施形態に対して第１太陽電池モジュール５Ａと第２太陽電池モジュール５Ｂとの構成が逆である例）について説明する。
【０１１４】
本変形例では、第１太陽電池モジュール５Ａの第１部材３１Ａは、溝９１を有する。なお本変形例では、第１太陽電池モジュール５Ａの第１部材３１Ａの主取付部４３Ａは、穴６１Ａを有しなくてもよい。
一方で、第２太陽電池モジュール５Ｂの第２部材３２Ｂは、第１太陽電池モジュール５Ａの第１部材３１Ａの溝９１に挿入される押さえ部１１１を有する。押さえ部１１１は、主取付部４３Ｂの一例として機能する。押さえ部１１１は、第２太陽電池モジュール５Ｂの第２部材３２Ｂの支持部４１Ｂおよび起立部４２Ｂと一体に形成されている。押さえ部１１１は、第８の実施形態の主取付部４３Ｂと略同じ構成を有する。例えば、押さえ部１１１は、第１突起１０１ａおよび第２突起１０１ｂを有する。押さえ部１１１は、少なくとも一部が開口部９３から溝９１に挿入されて、溝９１に沿ってスライド移動可能である。押さえ部１１１は、パネル厚さ方向Ｔにおいて第１太陽電池モジュール５Ａの第１部材３１Ａの主取付部４３Ａに面する。押さえ部１１１は、第１太陽電池モジュール５Ａの第１部材３１Ａの主取付部４３Ａに重なり、主取付部４３Ａを架台６に向けて押さえる。
【０１１５】
このような構成によれば、上記第１の実施形態と同様に、固定部品の部品点数の削減を図ることができる。すなわち、本変形例では、太陽光パネル支持ユニット２は、第１太陽電池モジュール５Ａの第１部材３１Ａ（第１支持部材）と、第２太陽電池モジュール５Ｂの第２部材３２Ｂ（第２支持部材）とを含む。第１太陽電池モジュール５Ａの第１部材３１Ａは、支持部４１Ａ（第１支持部）と、溝９１とを有する。支持部４１Ａは、太陽光パネル１６Ａ（第１太陽光パネル）を支持可能である。溝９１は、パネル厚さ方向Ｔに沿う。第２太陽電池モジュール５Ｂの第２部材３２Ｂは、支持部４１Ｂ（第２支持部）と、押さえ部１１１とを有する。支持部４１Ｂは、太陽光パネル１６Ｂ（第２太陽光パネル）を支持可能である。押さえ部１１１は、少なくとも一部が溝９１に挿入されてパネル厚さ方向Ｔで第１部材３１Ａに面する。このような構成によれば、第２太陽電池モジュール５Ｂの押さえ部１１１によって第１太陽電池モジュール５Ａを押さえることができる。これにより、太陽電池モジュール５を固定する固定部品の部品点数の削減、および固定部品の取付工数の削減を図ることができる。
【０１１６】
（第９の実施形態）
次に、図２５を参照して、第９の実施形態について説明する。
本実施形態は、スライド体としての主取付部４３Ｂが第１太陽電池モジュール５Ａと第２太陽電池モジュール５Ｂとの間の隙間の少なくとも一部を埋める機能を有する点で、第８の実施形態とは異なる。なお、本実施形態のその他の構成は、第８の実施形態の構成と同様である。
【０１１７】
図２５に示すように、本実施形態の第２太陽電池モジュール５Ｂの第２部材３２Ｂの主取付部４３Ｂは、隙間埋め部（封止部）１１５を有する。隙間埋め部１１５は、主取付部４３Ｂが溝９１に挿入されることに伴って、第１太陽電池モジュール５Ａの第１部材３１Ａと第２太陽電池モジュール５Ｂの第２部材３２Ｂとの間の隙間ｇに挿入される。隙間埋め部１１５は、第１部材３１Ａと第２部材３２Ｂとの間の隙間ｇの少なくとも一部を埋める。隙間埋め部１１５は、例えばアルミニウム材で形成された中空部材である。
【０１１８】
例えば、隙間埋め部１１５は、第２部材３２Ｂの長手方向に沿って、第１部材３１Ａと第２部材３２Ｂとの間の隙間ｇの略全長に亘る長さを有する。また、隙間埋め部１１５は、パネル厚さ方向Ｔにおいて比較的厚く形成されている。例えば、隙間埋め部１１５は、第２部材３２Ｂの主取付部４３Ｂが第１部材３１Ａの主取付部４３Ａに接した状態で、パネル厚さ方向Ｔとは交差する方向（例えば太陽光パネル１６の前面１６ａと略平行な方向）で、第１部材３１Ａの支持部４１Ａおよび第２部材３２Ｂの支持部４１Ｂと隣り合う。言い換えると、隙間埋め部１１５の少なくとも一部は、第２部材３２Ｂの主取付部４３Ｂが第１部材３１Ａの主取付部４３Ａに接した状態で、第１部材３１Ａの支持部４１Ａと第２部材３２Ｂの支持部４１Ｂとの間に位置する。
【０１１９】
隙間埋め部１１５の一例は、パネル厚さ方向Ｔにおいて、第１部材３１Ａと第２部材３２Ｂとの間の隙間ｇの全高と略同じ厚さを有する。すなわち、第２部材３２Ｂの主取付部４３Ｂが第１部材３１Ａの主取付部４３Ａに接した状態で、隙間埋め部１１５の表面（上面）１１５ａは、第１部材３１Ａの表面（上面）３１ａおよび第２部材３２Ｂの表面（上面）３２ａと略同一面上に位置する。これにより、第１太陽電池モジュール５Ａと第２太陽電池モジュール５Ｂとに亘る一つの平面が形成されている。なお、第１部材３１Ａの表面３１ａおよび第２部材３２Ｂの表面３２ａとは、架台６とは反対方向に露出した表面である。
【０１２０】
以上のように本実施形態では、第２太陽電池モジュール５Ｂの第２部材３２Ｂの主取付部４３Ｂ（第２取付部）は、隙間埋め部１１５を有する。隙間埋め部１１５は、第２太陽電池モジュール５Ｂの第２部材３２Ｂの主取付部４３Ｂが第１太陽電池モジュール５Ａの第１部材３１Ａの主取付部４３Ａ（第１取付部）に接した状態で、第１太陽電池モジュール５Ａの第１部材３１Ａの支持部４１Ａ（第１支持部）と、第２太陽電池モジュール５Ｂの第２部材３２Ｂの支持部４１Ｂ（第２支持部）との間に位置する。隙間埋め部１１５は、第１太陽電池モジュール５Ａの第１部材３１Ａと第２太陽電池モジュール５Ｂの第２部材３２Ｂとの間の隙間ｇの少なくとも一部を埋めている。
このような構成によれば、隙間埋め部１１５によって第１太陽電池モジュール５Ａと第２太陽電池モジュール５Ｂとの間の隙間ｇの少なくとも一部が隠されるので、太陽光発電システム１の意匠性を向上させることができる。また、第１太陽電池モジュール５Ａと第２太陽電池モジュール５Ｂとの間の隙間ｇの少なくとも一部が埋められるので、太陽電池モジュール５の上に積もる雪の滑落性が向上する。また主取付部４３Ｂの一部として隙間埋め部１１５が設けられることで、第１太陽電池モジュール５Ａと第２太陽電池モジュール５Ｂとの間の隙間ｇを覆う専用の部品が設けられる場合に比べて、部品点数の削減を図ることができる。
【０１２１】
（変形例）
図２６は、第９の実施形態のひとつの変形例を示す。
図２６に示す変形例では、溝９１に挿入される主取付部４３Ｂの挿入部１０１は、パネル厚さ方向Ｔにおいて、隙間埋め部１１５と略同じ厚さを有する。
このような構成によれば、第１太陽電池モジュール５Ａと第２太陽電池モジュール５Ｂとの間の平坦性がさらに向上する。このため、意匠性および雪の滑落性などがさらに向上する。
【０１２２】
（第１０の実施形態）
次に、図２７を参照して、第１０の実施形態について説明する。本実施形態は、第９の実施形態の変形例（図２６）において、第２太陽電池モジュール５Ｂの挿入部１０１および隙間埋め部１１５が、第１太陽電池モジュール５Ａの第１部材３１Ａと一体に設けられた構造である。なお、本実施形態のその他の構成は、第９の実施形態の変形例の構成と同様である。なお本変形例の説明では、説明の便宜上、溝９１が第１太陽電池モジュール５Ａに設けられ、溝９１に挿入される主取付部４３が第２太陽電池モジュール５Ｂと一体に設けられた例（すなわち、上記第９の実施形態の変形例（図２６）に対して第１太陽電池モジュール５Ａと第２太陽電池モジュール５Ｂとの構成が逆である例）について説明する。
【０１２３】
図２７は、本実施形態の複数の太陽電池モジュール５を示す。
図２７に示すように、本実施形態では、第１太陽電池モジュール５Ａの第１部材３１Ａは、溝９１を有する。なお本実施形態では、第１太陽電池モジュール５Ａの第１部材３１Ａの主取付部４３Ａは、穴６１を有しなくてもよい。
【０１２４】
一方で、第２太陽電池モジュール５Ｂの第２部材３２Ｂは、主取付部４３Ｂの一例として機能する押さえ部１１１を有する。押さえ部１１１は、第２太陽電池モジュール５Ｂの第２部材３２Ｂの支持部４１Ｂおよび起立部４２Ｂと一体に形成されている。押さえ部１１１は、第９の実施形態の変形例（図２６）の主取付部４３Ｂと略同じ構成を有する。例えば、押さえ部１１１は、挿入部１０１と、隙間埋め部（封止部）１１５を有する。挿入部１０１の表面（上面）１０１ｄおよび隙間埋め部１１５の表面（上面）１１５ａは、第２太陽電池モジュール５Ｂの第２部材３２Ｂの主取付部４３Ｂが第１太陽電池モジュール５Ａの第１部材３１Ａの主取付部４３Ａに接した状態で、第１部材３１Ａの表面（上面）３１ａおよび第２部材３２Ｂの表面（上面）３２ａと略同一面上に位置する。これにより、第１太陽電池モジュール５Ａと第２太陽電池モジュール５Ｂとに亘る一つの平面が形成されている。
【０１２５】
別の観点で見ると、この第１０の実施形態は、第８の実施形態の変形例（図２４）において、押さえ部１１１（主取付部４３Ｂ）の表面（上面）が第１部材３１Ａの表面（上面）３１ａおよび第２部材３２Ｂの表面（上面）３２ａと略同一面上に位置するように、押さえ部１１１の厚さが厚く形成されたものである。
【０１２６】
以上のように本実施形態では、挿入部１０１および隙間埋め部（封止部）１１５がフレーム１７と一体に設けられている。これにより、太陽電池モジュール５を固定する固定部品の部品点数の削減、および固定部品の取付工数の削減を図ることができる。
【０１２７】
（第１１の実施形態）
次に、図２８を参照して、第１１の実施形態について説明する。本実施形態は、隙間埋め部１１５が太陽光パネル１６の前面（受光面）１６ａよりも上方に突出した点で第９の実施形態の変形例の構成とは異なる。なお、本実施形態のその他の構成は、第９の実施形態の変形例の構成と同様である。
【０１２８】
図２８は、本実施形態の複数の太陽電池モジュール５を示す。
図２８に示すように、本実施形態では、少なくとも一つの隙間埋め部１１５は、太陽光パネル１６の前面（受光面）１６ａよりも上方に突出している。例えば、隙間埋め部１１５は、太陽光パネル１６の前面１６ａよりも上方に、隙間埋め部１１５の水平方向の厚さｔよりも大きな距離突出している。なお、「隙間埋め部１１５の水平方向の厚さｔ」とは、例えば、隙間埋め部１１５の長手方向とは略直交する方向の厚さである。別の観点では、少なくとも一つの隙間埋め部１１５は、第１太陽電池モジュール５Ａの第１部材３１Ａの表面（上面）３１ａおよび第２部材３２Ａの表面（上面）３２ａよりも上方に突出している。例えば、隙間埋め部１１５は、第１太陽電池モジュール５Ａの第１部材３１Ａの表面（上面）３１ａおよび第２部材３２Ａの表面（上面）３２ａよりも上方に、隙間埋め部１１５の水平方向の厚さｔよりも大きな距離突出している。隙間埋め部１１５は、例えば家屋の屋根などにおいて、雪の滑落方向とは交差する方向に沿って配置される。
【０１２９】
ここで、例えば多雪地域の都市部の屋根では、雪の滑落を抑制するため、雪止め金具が設置される場合がある。本実施形態では、隙間埋め部１１５が太陽光パネル１６の前面（受光面）１６ａよりも上方に突出しているため、隙間埋め部１１５によって雪の滑落を抑制することができる。すなわち、本実施形態の隙間埋め部１１５によって、雪止め金具の数を減らしたり省略したりすることができる。
【０１３０】
（変形例）
第１１の実施形態のように、太陽光パネル１６の前面（受光面）１６ａよりも上方に突出する隙間埋め部１１５は、第１０の実施形態のようにフレーム１７と一体に設けられてもよい。すなわち、第１０の実施形態において溝９１に挿入される押さえ部１１１の少なくとも一部は、太陽光パネル１６の前面（受光面）１６ａよりも上方に突出していてもよい。別の観点で見ると、押さえ部１１１は、第１太陽電池モジュール５Ａの第１部材３１Ａの表面（上面）３１ａおよび第２部材３２Ａの表面（上面）３２ａよりも上方に突出していてもよい。
【０１３１】
以上、第１から第１１の実施形態およびいくつかの変形例について説明したが、実施形態および変形例は、上記例に限定されない。例えば、第１から第１１の実施形態およびいくつかの変形例の構成は、互いに組み合わせて、または置換して実施可能である。
例えば、第１から第１１の実施形態において、締結部材６６が挿入される方向は、上下逆でもよい。
上述のいくつかの実施形態では、太陽光パネル１６の長辺同士が隣接する複数の太陽電池モジュール５が、締結部材６６によって纏めて固定されている。これに代えて、または、これに加えて、太陽光パネル１６の短辺同士が隣接する複数の太陽電池モジュール５が、締結部材６６によって纏めて固定されてもよい。すなわち、第１部材３１および第２部材３２は、太陽光パネル１６の短辺に沿う部材でもよい。また、溝９１は、太陽光パネル１６の短辺に沿う支持部材に設けられてもよい。
【０１３２】
以上説明した少なくともひとつの実施形態によれば、太陽光パネル支持ユニットは、第１支持部材と、第２支持部材と、第３支持部材とを持つ。前記第１支持部材は、第１支持部と、第１取付部とを含む。前記第１支持部は、第１太陽光パネルを支持可能である。前記第１取付部は、前記第１支持部から第１距離離れた位置に配置されるとともに、第１穴を有する。前記第２支持部材は、第２支持部と、第２取付部とを含む。前記第２支持部は、第２太陽光パネルを支持可能である。前記第２取付部は、前記第２支持部から前記第１距離よりも短い第２距離離れた位置に配置されるとともに、前記第１穴に連通する第２穴を有して前記第１取付部に重ねられる。前記第３支持部材は、第３支持部と、第３取付部とを含む。前記第３支持部は、第３太陽光パネルを支持可能である。前記第３取付部は、前記第１穴および前記第２穴に連通する第３穴を有して前記第２取付部に重ねられる。このような構成によれば、固定部品の部品点数の削減を図ることができる。
【０１３３】
以下、いくつかの太陽光パネル支持ユニットおよび太陽光発電システムの例を付記する。
［１］第１太陽光パネルを支持可能な第１支持部と、前記第１太陽光パネルのパネル厚さ方向において前記第１支持部から第１距離離れた位置に配置されるとともに第１穴を有した第１取付部と、を含む第１支持部材と、
第２太陽光パネルを支持可能な第２支持部と、前記パネル厚さ方向において前記第２支持部から前記第１距離よりも短い第２距離離れた位置に配置されるとともに、前記第１穴に連通する第２穴を有して前記第１取付部に重ねられる第２取付部と、を含む第２支持部材と、
を備えた太陽光パネル支持ユニット。
［２］、［１］に記載の太陽光パネル支持ユニットであって、
前記第１取付部は、架台の上に載せられ、
前記第２取付部は、前記架台とは反対側から前記第１取付部に重ねられ、
前記第１取付部および前記第２取付部は、前記第１穴および前記第２穴に挿入される締結部材によって前記架台に共締めされる。
［３］、［１］に記載の太陽光パネル支持ユニットであって、
前記第１太陽光パネルおよび前記第２太陽光パネルの各々は、複数の太陽電池セルと、前記複数の太陽電池セルを封止した封止材と、前記封止材に重ねられた光透過性パネルと、前記光透過性パネルとは反対側から前記封止材に重ねられたバックシートとを含み、
前記第１支持部材は、前記第１太陽光パネルの前記封止材、前記光透過性パネル、および前記バックシートを挟持するフレームの少なくとも一部を形成し、
前記第２支持部材は、前記第２太陽光パネルの前記封止材、前記光透過性パネル、および前記バックシートを挟持するフレームの少なくとも一部を形成している。
［４］、［１］に記載の太陽光パネル支持ユニットであって、
前記第１穴および前記第２穴の少なくとも一方は、長穴である。
［５］、［１］に記載の太陽光パネル支持ユニットであって、
第３太陽光パネルを支持可能な第３支持部と、前記パネル厚さ方向において前記第３支持部から前記第２距離よりも短い第３距離離れた位置に配置されるとともに、前記第１穴および前記第２穴に連通する第３穴を有して前記第２取付部に重ねられる第３取付部と、を含む第３支持部材をさらに備える。
［６］、［５］に記載の太陽光パネル支持ユニットであって、
第４太陽光パネルを支持可能な第４支持部と、前記パネル厚さ方向において前記第４支持部から前記第３距離よりも短い第４距離離れた位置に配置されるとともに、前記第１穴、前記第２穴、および前記第３穴に連通する第４穴を有して前記第３取付部に重ねられる第４取付部と、を含む第４支持部材をさらに備える。
［７］、［１］に記載の太陽光パネル支持ユニットであって、
前記第２支持部材は、前記パネル厚さ方向に沿う溝を有し、
前記第２取付部は、前記第２支持部とは別体として形成されるとともに、少なくとも一部が前記溝に挿入されて、前記溝に沿ってスライド移動可能である。
［８］、［７］に記載の太陽光パネル支持ユニットであって、
前記溝は、前記パネル厚さ方向において前記第２支持部材の外部に開口している。
［９］、［７］に記載の太陽光パネル支持ユニットであって、
前記第２取付部は、該第２取付部が前記第１取付部に接した状態で、前記第１支持部と前記第２支持部との間に位置して前記第１支持部材と前記第２支持部材との間の隙間の少なくとも一部を埋めている隙間埋め部を含む。
［１０］第１太陽光パネルを支持可能な第１支持部と、前記第１太陽光パネルのパネル厚さ方向に沿う溝と、を有した第１支持部材と、
第２太陽光パネルを支持可能な第２支持部と、少なくとも一部が前記溝に挿入されて前記パネル厚さ方向で前記第１支持部材に面する押さえ部と、を有した第２支持部材と、
を備えた太陽光パネル支持ユニット。
［１１］第１太陽光パネルと、
第２太陽光パネルと、
前記第１太陽光パネルを支持した第１支持部と、前記第１太陽光パネルのパネル厚さ方向において前記第１支持部から第１距離離れた位置に配置されるとともに第１穴を有した第１取付部と、を含む第１支持部材と、
前記第２太陽光パネルを支持した第２支持部と、前記パネル厚さ方向において前記第２支持部から前記第１距離よりも短い第２距離離れた位置に配置されるとともに、前記第１穴に連通する第２穴を有して前記第１取付部に重ねられた第２取付部と、を含む第２支持部材と、
を備えた太陽光発電システム。
【０１３４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１３５】
１…太陽光発電システム、２…太陽光パネル支持ユニット、６…架台、１６…太陽光パネル、１６ｂ…太陽光パネルの背面、１７…フレーム、２１…太陽電池セル、２３…前面パネル（光透過性パネル）、３１…第１部材、３２…第２部材、３３…第３部材、３４…第４部材、４１…支持部、４１ｓ…支持面、４３…主取付部（取付部）、６１…取付部の穴、６５…架台の穴、６６…締結部材、７１…スペーサ、９１…溝、１１１…押さえ部、１１５…隙間埋め部、２０１…第１識別部、２０２…第２識別部、２０３…第３識別部、２０４…第４識別部、２１１，２１２，２１３，２１４…識別部、２３１，２３２，２３３，２３４…傾斜部、Ｔ…パネル厚さ方向、Ｌ１…第１距離、Ｌ２…第２距離、Ｌ３…第３距離、Ｌ４…第４距離。
【図１】
2017110411.tif 000003
【図２】
2017110411.tif 000004
【図３】
2017110411.tif 000005
【図４】
2017110411.tif 000006
【図５】
2017110411.tif 000007
【図６】
2017110411.tif 000008
【図７】
2017110411.tif 000009
【図８】
2017110411.tif 000010
【図９】
2017110411.tif 000011
【図１０】
2017110411.tif 000012
【図１１】
2017110411.tif 000013
【図１２】
2017110411.tif 000014
【図１３】
2017110411.tif 000015
【図１４】
2017110411.tif 000016
【図１５】
2017110411.tif 000017
【図１６】
2017110411.tif 000018
【図１７】
2017110411.tif 000019
【図１８】
2017110411.tif 000020
【図１９】
2017110411.tif 000021
【図２０】
2017110411.tif 000022
【図２１】
2017110411.tif 000023
【図２２】
2017110411.tif 000024
【図２３】
2017110411.tif 000025
【図２４】
2017110411.tif 000026
【図２５】
2017110411.tif 000027
【図２６】
2017110411.tif 000028
【図２７】
2017110411.tif 000029
【図２８】
2017110411.tif 000030
【国際調査報告】
2017110411.tif 000031
2017110411.tif 000032